(57)【特許請求の範囲】
【請求項１】
遊技機についての所定の遊技に関する制御を司る制御基板を内部に収容する基板ボックスを備えた遊技機であって、
前記基板ボックスは、
第１ケース体と、該第１ケース体と合わされる第２ケース体と、
前記基板ボックスを遊技機に取り付けるために、別封印部が複数配列された本体取付封印部材とは別部品として形成され、本体取付部品と一体化される本体取付封印部材用受け部と、を備え、
前記本体取付封印部材に連結される、本体取付封印部材用受け部に設けられた回動部を、遊技機の一部に取り付けられた回動受け部に軸支させたヒンジ構造と、
前記回動部に設けられた抜け止め用の突起と、該突起を該回動部の軸周囲方向の移動は可能であるが、その軸方向への移動は制止して抜け止め機能を奏するように、前記回動受け部の内周に設けられた抜け止め溝部と、を更に備え、
前記本体取付封印部材を前記ヒンジ構造により、遊技機の一部に連結するように構成した、ことを特徴とする遊技機。
【請求項２】
前記ヒンジ構造を構成する前記本体取付封印部材用受け部と前記回動部とが合成樹脂材で成形されている、ことを特徴とする請求項１の遊技機。
【請求項３】
前記ヒンジ構造の本体取付封印部材用受け部に、前記本体取付封印部材を破断ねじで連結固定するように構成した、ことを特徴とする請求項１又は２の遊技機。
【発明の詳細な説明】
【技術分野】
【０００１】
本発明は、パチンコ、スロットマシンあるいはメダルの代わりにパチンコ玉でスロットマシンの遊技をするパロット等の遊技機に係り、特に遊技機の基板を収容する基板ボックスを用いた遊技機に関する。
【背景技術】
【０００２】
この遊技機には制御基板が備えられており、その制御基板によって電子的に遊技内容の制御が行われている。制御基板は、ＣＰＵ（Ｃｅｎｔｒａｌ Ｐｒｏｃｅｓｓｉｎｇ Ｕｎｉｔ）、ＲＡＭ（Ｒａｎｄｏｍ Ａｃｃｅｓｓ Ｍｅｍｏｒｙ）、ＲＯＭ（Ｒｅａｄ Ｏｎｌｙ Ｍｅｍｏｒｙ）、その他必要とされる集積回路やインターフェース回路を備えている。制御基板のＲＯＭには、遊技の制御内容を決めるデータが記憶されている。このＲＯＭを交換することにより、遊技の制御内容を変更する。また、制御基板自体を交換し、あるいは制御基板に別のＲＯＭを外付けすることで制御内容を変更する。
【０００３】
この制御基板は基板ボックス内に収容されている。この基板ボックスは、その内部に制御基板を被包して収容するためのボックスベースとボックスカバーとを備えている。この基板ボックスには、基板ボックスの裏面を容易に視認できるようにヒンジ部材（ヒンジ構造）を備えている。
【０００４】
このヒンジ部材（ヒンジ構造）を備えた基板ボックスに関する技術について、例えば特許文献１の特開２０１０−１４８８０７の「遊技機」に合成樹脂製の基板ボックスの被連結部の挿入口に金属製のヒンジ部材を構成する挿入片を差し込む構成が提案されている。
【先行技術文献】
【特許文献】
【０００５】
【特許文献１】特開２０１０−１４８８０７
【発明の概要】
【発明が解決しようとする課題】
【０００６】
しかし、ヒンジ部材（ヒンジ構造）を備えた基板ボックスについて、従来の合成樹脂製の被連結部の挿入口に金属製の挿入片を差し込む構成では、基板ボックスの被連結部の挿入口の隙間からナイフ、細い針金状の部材を差し込んで不正に開封されるおそれがある。
【０００７】
本発明は、上述した問題点等を解決するために創案されたものである。すなわち、本発明の目的は、ヒンジ部材（ヒンジ構造）と基板ボックスとの連結を強化し、基板ボックスの取り外しを困難にして不正しにくい遊技機を提供することにある。
【課題を解決するための手段】
【０００８】
本発明は、遊技機についての所定の遊技に関する制御を司る制御基板を内部に収容する基板ボックスを備えた遊技機であって、
前記基板ボックスは、
第１ケース体と、該第１ケース体と合わされる第２ケース体と、
前記基板ボックスを遊技機に取り付けるために、別封印部が複数配列された本体取付封印部材とは別部品として形成され、本体取付部品と一体化される本体取付封印部材用受け部と、を備え、
前記本体取付封印部材に連結される、本体取付封印部材用受け部に設けられた回動部を、遊技機の一部に取り付けられた回動受け部に軸支させたヒンジ構造と、
前記回動部に設けられた抜け止め用の突起と、該突起を該回動部の軸周囲方向の移動は可能であるが、その軸方向への移動は制止して抜け止め機能を奏するように、前記回動受け部の内周に設けられた抜け止め溝部と、を更に備え、
前記本体取付封印部材を前記ヒンジ構造により、遊技機の一部に連結するように構成したことを特徴とする。
【発明の効果】
【０００９】
上記構成の発明では、従来のように被連結部の挿入口の隙間からナイフ、細い針金状の部材を差し込んだ不正を防止しやすくなる。
【図面の簡単な説明】
【００１０】
【図１】一実施の形態におけるパチンコ機を示す斜視図である。
【図２】パチンコ機の主要な構成を展開して示す斜視図である。
【図３】パチンコ機の主要な構成を展開して示す斜視図である。
【図４】パチンコ機の構成を示す背面図である。
【図５】遊技機ベースユニットの構成を示す正面図である。
【図６】遊技盤の構成を示す正面図である。
【図７】遊技機ベースユニットの構成を示す背面図である。
【図８】遊技機前面ユニットの構成を示す背面図である。
【図９】裏パックユニットの構成を示す正面図である。
【図１０】裏パックユニットの構成を示す分解斜視図である。
【図１１】本発明の基板ボックスを示し、（ａ）は平面図、（ｂ）は正面図、（ｃ）は右側面図である。
【図１２】本発明の基板ボックスに本体取付封印部材を取り付けた状態を示す斜視図である。
【図１３】本発明の基板ボックスに本体取付封印部材を取り付ける状態を示す斜視図である。
【図１４】本発明の基板ボックスにその周辺の部材を組み付ける状態を示す分解斜視図である。
【図１５】本発明の本体取付封印部材を基板ボックスに取り付ける状態を示す正面図であり、（ａ）は取り付ける前の状態、（ｂ）は取り付けた後の状態である。
【図１６】本発明の係止用部材を基板ボックスに取り付ける状態を示す拡大斜視図である。
【図１７】本発明の係止用部材をボックス封印部材に嵌合する前の状態を示す拡大断面図である。
【図１８】本発明の係止用部材をボックス封印部材に嵌合した状態を示す拡大断面図である。
【図１９】本発明の係止用部材の製造方法の一例を示す説明図であり、（ａ）はせん断加工と切欠き加工を示し、（ｂ）、（ｃ）は成形加工を示す。
【図２０】本発明のかしめ部材と予備かしめ部材をボックスベースの開口部に差し込む状態を示す斜視図である。
【図２１】本発明の基板ボックスにかしめ部材と予備かしめ部材とその周辺の部材を組み付ける状態を示す分解斜視図である。
【図２２】本発明のかしめ部材を示す拡大斜視図である。
【図２３】本発明のかしめ部材と従来のかしめ部材との比較図であり、（ａ）は本発明のかしめ部材、（ｂ）は従来の強度的に問題があるかしめ部材、（ｃ）は従来の寸法に問題があるかしめ部材である。
【図２４】係止用部材の両係止部を示す拡大正面図である。
【図２５】本発明のかしめ部材を差し込む状態を示すボックス封印部材の拡大断面図である。
【図２６】本発明の２番目の予備かしめ部材を示す拡大斜視図である。
【図２７】本発明の基板ボックスに、封印シールと、封印シールケースと、カッターカバーをこの順番で取り付ける状態を示す斜視図である。
【図２８】本発明の基板ボックスに封印シールケースを取り付ける前の状態を示す右側面図である。
【図２９】本発明の基板ボックスに封印シールケースを取り付けた後の状態を示し、（ａ）は正面図、（ｂ）は平面図である。
【図３０】本発明のカッターを示し、（ａ）は拡大正面図、（ｂ）はＢ−Ｂ線拡大断面図である。
【図３１】本発明のカッターで切断した状態の封印シールを示す正面図である。
【図３２】本発明のカッターで切断した他の状態の封印シールであり、切断当初が特に粗い状態のものを示す正面図である。
【図３３】本発明のカッターで切断した他の状態の封印シールであり、切断箇所の全体が同じ状態のものを示す正面図である。
【図３４】本発明の基板ボックスにカッターカバーを取り付ける状態を示す斜視図である。
【図３５】本発明の基板ボックスにカッターカバーを取り付けた状態を示し、（ａ）は正面図、（ｂ）は底面図、（ｃ）は右側面図である。
【図３６】ヒンジ構造と共に本体取付封印部材を基板ボックスに取り付ける状態を示す分解斜視図である。
【図３７】ヒンジ構造に本体取付封印部材を取り付ける状態を示す拡大斜視図である。
【図３８】ヒンジ構造の本体取付封印部材用受け部と回動部を示す拡大斜視図であり、（ａ）は正面左上方視、（ｂ）は正面右上方視、（ｃ）は背面左上方視、（ｄ）は背面右上方視である。
【図３９】ヒンジ構造の本体取付封印部材用受け部と回動部を示す拡大図であり、（ａ）は平面図、（ｂ）は正面図、（ｃ）は底面図、（ｄ）は左側面図、（ｅ）は右側面図、（ｆ）は背面図である
【図４０】ヒンジ構造を締結した本体取付封印部材を基板ボックスに取り付ける状態を示す斜視図である。
【図４１】ヒンジ構造を締結した本体取付封印部材を基板ボックスに取り付けた状態を示す斜視図である。
【図４２】ヒンジ構造を締結した本体取付封印部材を基板ボックスに取り付けた状態を示し、（ａ）は正面図、（ｂ）は左側面図、（ｃ）は平面図、（ｄ）は底面図である。
【図４３】ヒンジ構造の変形例１を示し、（ａ）は組み付ける前の状態の正面図、（ｂ）は凹部部分の拡大正面図である。
【００１１】
以下、本発明の好ましい実施の形態を図面を参照して説明する。
図１は本発明のパチンコ機１０の遊技機主部２１と外枠１１とが嵌合した状態を示す斜視図である。図２及び図３はパチンコ機１０の主要な構成を展開して示す斜視図である。図４はパチンコ機１０の背面図である。なお、図２では便宜上パチンコ機１０の遊技領域内の構成を省略している。
パチンコ機１０は、当該パチンコ機１０の外殻を形成する外枠１１と、この外枠１１に対して前方に回動可能に取り付けられた遊技機主部２１とを有する。
【００１２】
＜遊技機１０の全体構成＞
外枠１１は、図1及び図４に示すように、板材１２〜１５を四辺に連結し構成されるものであって矩形枠状をなしている。外枠１１を構成する板材１２〜１５は、左右の板材１２，１３がアルミなどの金属製となっており、上下の板材１４，１５が木製となっている。パチンコ機１０は、外枠１１の上下の板材１４，１５を島設備に取り付け固定することにより、遊技ホールに設置される。
【００１３】
上記のように左右の板材１２，１３を金属製とすると共に上下の板材１４，１５を木製とすることで、島設備への固定を可能としつつ外枠１１の補強を行うことができる。なお、外枠１１の構成は上記のものに限定されることはなく、全ての板材１２〜１５を木製としてもよく、全ての板材１２〜１５を金属製としてもよい。また、板材１２〜１５の全部又は一部を合成樹脂製としてもよい。
【００１４】
外枠１１の左側の板材１２には、その上下の各端部に支持金具１７，１８が取り付けられている。これら支持金具１７，１８に支持させるようにして、図２及び図３に示すように、遊技機主部２１が外枠１１に対して回動可能に取り付けられている。本発明は、これら支持金具１７，１８に遊技機主部２１を着脱自在に取り付ける構造になる。
【００１５】
遊技機主部２１は、図２及び図３に示すように、遊技機ベースユニット（本体枠又は内枠）２２と、その遊技機ベースユニット２２の前方に配置される遊技機前面ユニット（前面扉又は前枠）２３と、遊技機ベースユニット２２の後方に配置される裏パックユニット２４とを備えている。遊技機主部２１のうち遊技機ベースユニット２２が外枠１１に対して回動可能に支持されている。詳細には、正面視で左側を回動基端（開閉基端）側とし右側を回動先端（開閉先端）側として遊技機ベースユニット２２が前方へ回動可能（開閉可能）とされている。
【００１６】
遊技機ベースユニット２２は、外枠１１の開口全体を覆う大きさを有しており、その背面側であって回動先端側には施錠装置３１が取り付けられている。施錠装置３１は長尺状の連動杆３２を備えており、当該連動杆３２には上下一対の鉤金具３３が設けられている。外枠１１に対して遊技機ベースユニット２２を閉鎖した際には、鉤金具３３が外枠１１の右側の板材１３に設けられた受け金具３４に係止され、施錠装置３１により施錠状態とされるようになっている。また、遊技機ベースユニット２２にはシリンダ錠３５（図１参照）が設けられており、シリンダ錠３５の操作によって連動杆３２を上方向又は下方向のうち予め定められた方向に移動させると、外枠１１に対する遊技機ベースユニット２２の施錠状態が解除される。
【００１７】
遊技機ベースユニット２２には、図２に示すように、遊技機前面ユニット２３が回動可能に支持されており、正面視で左側を回動基端（開閉基端）側とし右側を回動先端（開閉先端）側として前方へ回動可能（開閉可能）とされている。また、遊技機ベースユニット２２には、図３に示すように、裏パックユニット２４が回動可能に支持されており、正面視で左側を回動基端（開閉基端）側とし右側を回動先端（開閉先端）側として後方へ回動可能（開閉可能）とされている。
【００１８】
次に、遊技機ベースユニット２２、遊技機前面ユニット２３及び裏パックユニット２４のそれぞれについて詳細に説明する。
＜遊技機ベースユニット２２＞
図５は遊技機ベースユニット２２の正面図である。図６は遊技機ベースユニット２２に搭載された遊技盤６１の正面図である。図７は遊技機ベースユニット２２の背面図である。なお、図５では便宜上パチンコ機１０の遊技領域内の構成を省略している。
先ず、遊技機ベースユニット２２の構成について詳細に説明する。
遊技機ベースユニット２２は、図５に示すように、外形が外枠１１とほぼ同一形状をなす樹脂ベース４１を主体に構成されている。樹脂ベース４１の中央部には略楕円形状の窓孔５１が形成されている。樹脂ベース４１にはその後方から遊技盤６１が着脱可能に取り付けられている。詳細には、樹脂ベース４１の裏面には、図７に示すように、複数（本実施の形態では４箇所）の固定金具５２〜５５が設けられており、これら固定金具５２〜５５によって遊技盤６１は後方へ脱落しないように固定されている。固定金具５２〜５５は手動で回動操作することができ、固定位置（ロック位置）と固定解除位置（アンロック位置）とに切り換えることができるよう構成されている。
【００１９】
図５に示すように、樹脂ベース４１における窓孔５１の下方には、遊技球発射機構８０が取り付けられている。遊技球発射機構８０は、電磁式のソレノイド８１と、発射レール８２と、球送り機構８３とからなり、ソレノイド８１への電気的な信号の入力により当該ソレノイド８１の出力軸が伸縮方向に移動し、球送り機構８３によって発射レール８２上に置かれた遊技球を遊技領域に向けて打ち出す。ソレノイド８１への電気的な信号の入力は、遊技機前面ユニット２３の下部に設けられた遊技球発射ハンドル８４（図１等参照）が操作されることに基づいて発生する。
【００２０】
次に遊技機ベースユニット２２に搭載される遊技盤６１について説明する。
遊技盤６１は合板より成り、遊技盤６１の前面に形成された遊技領域が樹脂ベース４１の窓孔５１を通じて遊技機ベースユニット２２の前面側に露出した状態となっている。
【００２１】
図６に示すように、遊技盤６１には、ルータ加工が施されることによって前後方向に貫通する大小複数の開口部が形成され、各開口部には一般入賞口６２、可変入賞装置６３、上作動口６４、下作動口６５、スルーゲート６６、可変表示ユニット６７及びアウト口６８等がそれぞれ設けられている。このうち、可変入賞装置６３、上作動口６４、下作動口６５、可変表示ユニット６７及びアウト口６８は、遊技盤６１の左右方向の中央において上下方向に並べて設けられており、上から可変表示ユニット６７、上作動口６４、下作動口６５及びアウト口６８の順となっている。また、一般入賞口６２は、遊技盤６１の下部において、左側に３個及び右側に１個の合計４個設けられている。ちなみに、遊技盤６１の左側は遊技機前面ユニット２３の回動基端側に相当し、遊技盤６１の右側は遊技機前面ユニット２３の回動先端側に相当する。
【００２２】
一般入賞口６２、可変入賞装置６３、上作動口６４及び下作動口６５に遊技球が入球すると、それが検知スイッチにより検知され、その検知結果に基づいて所定数の賞球の払い出しが実行される。具体的には、一般入賞口６２に一の遊技球が入球すると単位遊技球数として１０個の遊技球が払い出され、可変入賞装置６３に一の遊技球が入球すると単位遊技球数として１５個の遊技球が払い出され、上作動口６４に一の遊技球が入球すると単位遊技球数として３個の遊技球が払い出され、下作動口６５に一の遊技球が入球すると単位遊技球数として４個の遊技球が払い出される。
【００２３】
各種入賞口等に入らなかった遊技球は、後述する内レール部７７によって集められ、内レール部７７の最下部に設けられたアウト口６８を通って遊技領域から排出される。その他に、遊技盤６１には、遊技球の落下方向を適宜分散、調整等するために多数の釘６９が植設されていると共に、風車等の各種部材（役物）や内レール部７７および外レール部７８が配設されている。
【００２４】
可変表示ユニット６７は、遊技盤６１の略中央部上方に形成された略円形の開口部に取り付けられる図柄表示装置７１と、開口部の周縁に図柄表示装置７１を囲むようにして配設されたセンターフレーム７２を備えている。
図柄表示装置７１は、液晶ディスプレイを備えた液晶表示装置であり、後述する表示制御装置１０１により、いずれかの作動口６４，６５への入賞をトリガとして図柄を可変表示するように制御されている。図柄表示装置７１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。なお、図柄表示装置７１は、ＣＲＴ，ドットマトリックス，７セグメント等その他のタイプにより表示画面を構成したものであってもよい。
【００２５】
また、センターフレーム７２の上部には、第１特定ランプ部７３及び第２特定ランプ部７４が、センターフレーム７２の上部及び下部には保留ランプ部７５，７６がそれぞれ設けられている。下側の保留ランプ部７５は、図柄表示装置７１及び第１特定ランプ部７３に対応しており、遊技球が作動口６４，６５を通過した回数は最大４回まで保留され、保留ランプ部７５の点灯によってその保留個数が表示されるようになっている。上側の保留ランプ部７６は、第２特定ランプ部７４に対応しており、遊技球がスルーゲート６６を通過した回数は最大４回まで保留され、保留ランプ部７６の点灯によってその保留個数が表示されるようになっている。
【００２６】
第１特定ランプ部７３では、上作動口６４への入賞をトリガとして所定の順序で発光色の切り替えが行われ、予め定められた色で停止表示された場合には大当たりが発生する。また、第２特定ランプ部７４では、遊技球のスルーゲート６６の通過をトリガとして所定の順序で発光色の切り替えが行われ、予め定められた色で停止表示された場合には下作動口６５に付随する電動役物６５ａが所定時間だけ開放状態となる。
【００２７】
ちなみに、下作動口６５は、開閉手段としての電動役物６５ａが開放状態の場合に入球が可能となり、閉鎖状態の場合に入球が不可となる。なお、これに限定されることはなく、電動役物６５ａが開放状態の場合に入球し易くなり、閉鎖状態の場合に入球しがたくなる構成としてもよい。
【００２８】
可変入賞装置６３は、開閉手段としての開閉扉６３ａが通常は遊技球が入球できない又は入球しがたい閉鎖状態になっており、大当たりの際に遊技球が入球しやすい所定の開放状態に切り換えられるようになっている。可変入賞装置６３の開放態様としては、所定時間（例えば３０秒間）の経過又は所定個数（例えば１０個）の入賞を１ラウンドとして、複数ラウンド（例えば１５ラウンド）を上限として可変入賞装置６３が繰り返し開放されるものが一般的である。
【００２９】
遊技盤６１の周縁部分には、略円弧状の内レール部７７と外レール部７８とが取り付けられており、これら内レール部７７と外レール部７８とにより誘導レールが構成され、上述した遊技球発射機構８０から発射された遊技球が遊技領域の上部に案内されるようになっている。また、図５に示すように、樹脂ベース４１の窓孔５１の右上部には返しゴム７９が設けられており、所定以上の勢いで発射された遊技球は返しゴム７９に当たり、遊技領域の中央寄りに跳ね返されるようになっている。この場合、返しゴム７９はその遊技球が当たる面が遊技領域の中央側に向けて傾斜させて形成されているため、遊技領域の中央に向けた遊技球の跳ね返しが良好に行われるようになっている。
【００３０】
遊技機ベースユニット２２が遊技機前面ユニット２３を支持する機構について、図５等に基づいて説明する。
遊技機ベースユニット２２の樹脂ベース４１の前面における回動基端側には、その上端部及び下端部に支持金具４２，４３が取り付けられている。これら支持金具４２，４３に対して遊技機前面ユニット２３が支持されていることで当該遊技機前面ユニット２３が遊技機ベースユニット２２に対して前方に回動可能となっている。また、樹脂ベース４１の前面における回動先端側には、遊技機前面ユニット２３の背面に設けられた鉤金具４４（図２参照）を挿入するための挿入孔４５が上下方向に離間させて複数設けられている。遊技機ベースユニット２２に対して遊技機前面ユニット２３を閉鎖した状態では、遊技機前面ユニット２３の鉤金具４４が挿入孔４５内に入り込み、当該鉤金具４４は上述した施錠装置３１（図３参照）に係止される。これにより、遊技機ベースユニット２２に対して遊技機前面ユニット２３が施錠された状態となる。この施錠状態はシリンダ錠３５の操作によって施錠装置３１の連動杆３２を、外枠１１に対する遊技機ベースユニット２２の解錠を行う場合とは反対側に移動させることで解除される。
【００３１】
次に、遊技機ベースユニット２２の背面構成について図７を用いて詳細に説明する。
樹脂ベース４１の背面における回動先端側には既に説明した施錠装置３１が設けられている。また、樹脂ベース４１の中央には上記のとおり遊技盤６１が取り付けられている。
【００３２】
遊技盤６１の中央に配置された可変表示ユニット６７（図６参照）には、図３及び図７に示すように、センターフレーム７２（図６参照）を後方から覆う合成樹脂製のフレームカバー１００が後方に突出させて設けられており、フレームカバー１００に対して後側から上述した図柄表示装置７１が取り付けられていると共に、その図柄表示装置７１を駆動するための表示制御装置１０１が取り付けられている。これら図柄表示装置７１及び表示制御装置１０１は前後方向に重ねて配置され（図柄表示装置７１が前、表示制御装置１０１が後）、さらにその後方に音声ランプ制御装置ユニット１０２が搭載されている。音声ランプ制御装置ユニット１０２は、音声ランプ制御装置１０３と、取付台１０４とを具備する構成となっており、取付台１０４上に音声ランプ制御装置１０３が装着されている。
【００３３】
音声ランプ制御装置１０３は、後述する主制御装置からの指示に従い音声やランプ表示、及び表示制御装置の制御を司る音声ランプ制御基板を具備しており、音声ランプ制御基板が透明樹脂材料等よりなる基板ボックスに収容されて構成されている。
【００３４】
遊技盤６１の背面であって可変表示ユニット６７の下方には、主制御装置ユニット１０５が搭載されている。主制御装置ユニット１０５は、合成樹脂製の取付台１０６を有し、取付台１０６に主制御装置１０７が搭載されている。主制御装置１０７は、遊技の主たる制御を司る機能（主制御回路）と、電源を監視する機能（停電監視回路）とを有する主制御基板を具備しており、当該主制御基板が透明樹脂材料等よりなる第１基板ボックス１０８に収容されて構成されている。なお、当該基板ボックス１０８には、後述するように当該基板ボックスの開放痕跡手段としてかしめ部材や封印シールが設けられていると共に、取付台１０６に対する主制御装置１０７の離脱痕跡手段としてかしめ部材が設けられている。なお、ここで基板ボックス（第１基板ボックス）１０８と称しているが、後述するように基板ボックス１４８，１４９が複数存在するので、それぞれ区別するために便宜的に用いた。その順番以外に何ら意味合いを持つものではない。
【００３５】
遊技盤６１の背面における主制御装置ユニット１０５により覆われた領域には、図示しない集合板ユニットが設けられている。集合板ユニットには、各種入賞口に入賞した遊技球を回収するための遊技球回収機構や、各種入賞口等への遊技球の入賞を検知するための入賞検知センサなどが設けられている。遊技球回収機構にて回収された遊技球は後述する排出通路を介してパチンコ機１０外部に排出される。また、入賞検知センサは主制御装置１０７と電気的に接続されており、遊技球の入賞を検知した場合の検知信号は主制御装置１０７にて入力される。
【００３６】
遊技機ベースユニット２２が裏パックユニット２４を支持する機構について説明する。
樹脂ベース４１の背面における回動基端側（図７の右側）には、軸受け金具１１１，１１２，１１３が取り付けられている。軸受け金具１１１〜１１３は上下に離間させて３個設けられている。なお、軸受け金具１１１〜１１３の数は任意であり、２個であってもよく、４個以上であってもよい。遊技機ベースユニット２２には、図３に示すように、これら軸受け金具１１１〜１１３に対して軸支させて裏パックユニット２４が取り付けられている。裏パックユニット２４により、可変表示ユニット６７の全部及び主制御装置ユニット１０５の一部が後方から覆われており、裏パックユニット２４を開放させない限り可変表示ユニット６７及び主制御装置ユニット１０５を樹脂ベース４１から取り外すことができないようになっている。
【００３７】
樹脂ベース４１の背面には、図３及び図７に示すように、裏パックユニット２４を遊技機ベースユニット２２に固定するための固定金具１１５が設けられている。固定金具１１５は手動で回動操作することができ、固定位置（ロック位置）と固定解除位置（アンロック位置）とに切り換えることができるよう構成されている。また、図７に示すように、樹脂ベース４１の背面には締結孔部１１６が形成されており、当該締結孔部１１６に対して裏パックユニット２４に設けられた後述する締結具１１７（図９参照）を締結させることによっても裏パックユニット２４が遊技機ベースユニット２２に固定される。
【００３８】
＜遊技機前面ユニット２３＞
遊技機前面ユニット２３の構成について図１に基づいて説明する。
遊技機前面ユニット２３は遊技機ベースユニット２２の前面側全体を覆うようにして設けられている。遊技機前面ユニット２３には、上記遊技領域のほぼ全域を前方から視認することができるようにした略楕円形状の窓パネル部９１が設けられている。窓パネル部９１の周囲には、各種ランプ等の発光手段が設けられている。例えば、窓パネル部９１の周縁に沿ってＬＥＤ等の発光手段を内蔵した環状電飾部９２が設けられている。環状電飾部９２では、大当たり時や所定のリーチ時等における遊技状態の変化に応じて点灯や点滅が行われる。また、環状電飾部９２の中央であってパチンコ機１０の最上部には所定のエラー時に点灯するエラー表示ランプ部９３が設けられている。また、窓パネル部９１の左上方及び右上方には、遊技状態に応じた効果音などが出力されるスピーカ部９４が設けられている。
【００３９】
遊技機前面ユニット２３には、窓パネル部９１の下方に、手前側へ膨出した第１膨出部９５と第２膨出部９６とが上下に並設されている。
第１膨出部９５内側には、上方に開口した上皿９５ａが設けられている。上皿９５ａは、第１払出口２３１より払い出された遊技球を一旦貯留し、一列に整列させながら下流側（本実施の形態では右側）の遊技球発射機構８０へ導く機能を有する球受皿である。
【００４０】
第１膨出部９５の上面右側（上皿９５ａの下流側）には、奥側に上皿球抜きスイッチ２３２が、手前側に貸球操作部２３３がそれぞれ配設されている。上皿球抜きスイッチ２３２は、上皿９５ａに貯留された遊技球を排出するために操作されるものである。
【００４１】
貸球操作部２３３には、球貸しボタン２３４と、返却ボタン２３５とが設けられている。球貸しボタン２３４は、カード等（記録媒体）に記録された情報に基づいて貸出球を得るために操作されるものであり、カード等に残額が存在する限りにおいて貸出球が払い出される。返却ボタン２３５は、カードユニットに挿入されたカード等の返却を求める際に操作される。なお、球貸しボタン２３４及び返却ボタン２３５とからなる貸球操作部２３３は、第１膨出部９５の上方にも設けられている。
【００４２】
また、球貸しボタン２３４と返却ボタン２３５との間に、遊技者により操作可能なプッシュ式の演出スイッチ２３６が設けられている。演出スイッチ２３６には図示しないランプが内蔵されており、選択操作が有効とされる状況下ではランプが点灯表示され、選択操作が無効とされる状況下ではランプが消灯表示されるようになっている。そして、当該ランプが点灯表示されている状況下で演出スイッチ２３６を操作された場合、後述する図柄表示装置７１の表示モードが変更されるようになっている。
【００４３】
第１膨出部９５と同様に、第１膨出部９５の下方に手前側へ膨出するように設けられている第２膨出部９６内側にも、上方に開口した下皿９６ａが設けられている。下皿９６ａは、第２払出口２３７より払い出された遊技球を一旦貯留するための球受皿である。下皿９６ａには、例えば、上皿９５ａにて遊技球が余剰となった場合には、下皿球抜きスイッチ２３３が操作され、上皿９５ａに貯留された遊技球が第２払出口２３７より排出されるようになっている。
【００４４】
第２膨出部９６前面側には、下皿９６ａに貯留された遊技球を下方に排出するための上球抜きスイッチ２３８が設けられている。また、第２膨出部９６の右方には、手前側へ突出するようにして遊技球発射ハンドル８４が設けられている。遊技球発射ハンドル８４は、板材１２の背面側に設けられた遊技球発射機構８０（図５参照）に連結されており、上皿９５ａに貯留された遊技球は、遊技者が遊技球発射ハンドル８４を回転させることにより、遊技盤６１に形成された遊技領域に向けて発射される。
【００４５】
図８は遊技機前面ユニット２３の背面図である。
遊技機前面ユニット２３の背面における回動基端側（図８の右側）には、その上端部及び下端部に突起軸９７，９８が設けられている。これら突起軸９７，９８は遊技機ベースユニット２２に対する組付機構を構成する。また、遊技機前面ユニット２３の背面における回動先端側（図８の左側）には、上述した鉤金具４４が上下方向に複数並設されている。
【００４６】
また、遊技機前面ユニット２３の背面には、図８に示すように、前面側通路ユニット２７１が取り付けられている。前面側通路ユニット２７１は、合成樹脂により成形されており、上皿９５ａに通じる前扉側上皿通路と、下皿９６ａに通じる前扉側下皿通路とが形成されている。
【００４７】
＜裏パックユニット２４＞
裏パックユニット２４の構成について詳細に説明する。
図９は裏パックユニット２４の正面図である。図１０は裏パックユニット２４の分解斜視図である。
裏パックユニット２４は、当該裏パックユニット２４の上部及び中央部分を構成する第１裏パックユニット１２１と、当該第１裏パックユニット１２１に連続させて設けられ裏パックユニット２４の下部を構成する第２裏パックユニット１４１とを備えている。第１裏パックユニット１２１にはその下部に開口部１２２が形成されており、第２裏パックユニット１４１の上部は当該開口部１２２の下縁部分を構成している。
【００４８】
第１裏パックユニット１２１と第２裏パックユニット１４１には、図９に示すように、それぞれ軸金具１２３，１３９が設けられており、それら軸金具１２３，１３９はそれぞれ個別に遊技機ベースユニット２２の軸受け金具１１１〜１１３（図７参照）に支持されている。これにより、第１裏パックユニット１２１と第２裏パックユニット１４１とは、遊技機ベースユニット２２に対してそれぞれ個別に回動可能となっている。
【００４９】
ここで、上記のとおり、第２裏パックユニット１４１はその上部が第１裏パックユニット１２１の開口部１２２の下縁部分を構成しており、当該下縁部分において、第１裏パックユニット１２１がパチンコ機１０前方となるようにして第１裏パックユニット１２１と第２裏パックユニット１４１とが前後に重なっている。したがって、第１裏パックユニット１２１を遊技機ベースユニット２２に対して閉鎖した状態で第２裏パックユニット１４１を開放させることはできるが、第２裏パックユニット１４１を閉鎖した状態で第１裏パックユニット１２１を開放させることはできない。なお、これに限定されることはなく、開閉の関係が第１裏パックユニット１２１と第２裏パックユニット１４１とで逆であってもよく、第１裏パックユニット１２１と第２裏パックユニット１４１とが相互に干渉することなく開閉可能な構成であってもよい。さらには、第１裏パックユニット１２１と第２裏パックユニット１４１とが一体化され個別に開閉できない構成としてもよい。
【００５０】
次に、第１裏パックユニット１２１の構成について詳細に説明する。
第１裏パックユニット１２１は、裏パック１２４を備えており、当該裏パック１２４に対して、払出機構部１２５が取り付けられている。裏パック１２４は透明性を有する合成樹脂により成形されており、払出機構部１２５などが取り付けられるベース部１２６と、パチンコ機１０後方に突出し略直方体形状をなす保護カバー部１２７とを有する。保護カバー部１２７は左右側面及び上面が閉鎖され且つ下面のみが開放された形状をなし、少なくとも可変表示ユニット６７を囲むのに十分な大きさを有する。
【００５１】
ベース部１２６には、その右上部に外部端子板１３１が設けられている。外部端子板１３１には各種の出力端子が設けられており、これらの出力端子を通じて遊技ホール側の管理制御装置に対して各種信号が出力される。また、ベース部１２６には上述した第１裏パックユニット１２１の軸金具１２３が設けられている。
【００５２】
ベース部１２６には、保護カバー部１２７を迂回するようにして払出機構部１２５が配設されている。払出機構部１２５は、タンク１３２と、タンクレール１３３と、上下通路ユニット１３４とを備えている。タンク１３２は上方に開放されており、裏パック１２４の最上部に設けられている。タンク１３２には遊技ホールの島設備から遊技球が逐次補給される。タンクレール１３３は、タンク１３２の下方において当該タンク１３２に連結されており、下流側に向けて緩やかに傾斜している。当該タンクレール１３３の下流部に連結させて上下通路ユニット１３４が設けられている。上下通路ユニット１３４は上下方向に延びており、その途中位置に払出装置１３５が設けられている。また、上下通路ユニット１３４の下流側には、球受け部、裏パック側通路部、本体側通路部及び前面側通路部が設けられており、前面側通路部は上皿９５ａ及び下皿９６ａに連通されている。
【００５３】
つまり、タンク１３２と、上皿９５ａ及び下皿９６ａの受け皿との間には、タンクレール１３３、上下通路ユニット１３４、球受け部、裏パック側通路部、本体側通路部及び前面側通路部からなる誘導通路部が設けられており、タンク１３２に貯留されている遊技球は当該誘導通路部を通じて上皿９５ａ又は下皿９６ａに払い出される。なお、上下通路ユニット１３４の構成、及びそれよりも下流側の構成については後に詳細に説明する。
【００５４】
払出機構部１２５には、裏パック基板１３６が設置されている。裏パック基板１３６には、例えば交流２４ボルトの主電源が供給され、電源スイッチ１３７の切替操作により電源ＯＮ又は電源ＯＦＦとされるようになっている。
【００５５】
次に、第２裏パックユニット１４１の構成について詳細に説明する。
第２裏パックユニット１４１は、排出通路盤１４２と制御装置集合ユニット１４３とを備えている。排出通路盤１４２は第２裏パックユニット１４１の前側を構成し、制御装置集合ユニット１４３は第２裏パックユニット１４１の後側を構成している。そして、これら排出通路盤１４２と制御装置集合ユニット１４３とが前後に組み付けられて第２裏パックユニット１４１が構成されている。
【００５６】
排出通路盤１４２は、制御装置集合ユニット１４３と対向する面に後方に開放された排出通路１４４が形成されており、当該排出通路１４４の開放部は制御装置集合ユニット１４３によって塞がれている。排出通路１４４は、遊技ホールの島設備等へ遊技球を排出するように形成されており、上述した各種入賞口等から排出通路１４４に導出された遊技球は当該排出通路１４４を通ることでパチンコ機１０外部に排出される。
【００５７】
制御装置集合ユニット１４３は、横長形状をなす取付台１４５を有し、取付台１４５に払出制御装置１４６と電源及び発射制御装置１４７とが搭載されている。これら払出制御装置１４６と電源及び発射制御装置１４７とは、払出制御装置１４６がパチンコ機１０後方となるように前後に重ねて配置されている。
【００５８】
払出制御装置１４６は、第２基板ボックス１４８内に払出装置１３５を制御する払出制御基板が収容されている。なお、払出制御装置１４６から払出装置１３５への払出指令の信号は上述した裏パック基板１３６により中継される。また、払出制御装置１４６には状態復帰スイッチ１４８ａが設けられている。例えば、払出装置１３５における球詰まり等、払出エラーの発生時において状態復帰スイッチ１４８ａが押されると、球詰まりの解消が図られるようになっている。
【００５９】
電源及び発射制御装置１４７は、第３基板ボックス１４９内に電源及び発射制御基板が収容されており、当該基板により、各種制御装置等で要する所定の電源が生成されて出力され、さらに遊技者による遊技球発射ハンドル８４の操作に伴う遊技球の打ち出しの制御が行われる。また、電源及び発射制御装置１４７にはＲＡＭ消去スイッチ１４９ａが設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ１４９ａを押しながら電源を投入すると、ＲＡＭデータが初期化されるようになっている。
【００６０】
＜基板ボックス１０８＞
図１１は本発明の基板ボックス１０８を示し、（ａ）は平面図、（ｂ）は正面図、（ｃ）は右側面図である。図１２は本発明の基板ボックス１０８に本体取付封印部材１０９３を取り付けた状態を示す斜視図である。図１３は本発明の基板ボックス１０８に本体取付封印部材１０９３を取り付ける状態を示す斜視図である。図１４は本発明の基板ボックス１０８にその周辺の部材を組み付ける状態を示す分解斜視図である。
基板ボックス（第１基板ボックス）１０８は、その内部に、所定の遊技に関する制御を司る主制御基板（図示省略）を収容している。主制御基板は、パチンコ機１０を統括制御しており、始動入賞に基づく遊技内容処理や遊技球の払出など種々の制御を行っている。
【００６１】
基板ボックス１０８は、図１１〜図１４に示すように、主制御基板が取り付けられるボックスベース１０８１と、このボックスベース１０８１と合わされるボックスカバー１０８２とを備え、主制御基板が取り付けられたボックスベース１０８１でのその制御基板取付面側にボックスカバー１０８２を合わせることで形成される内部空間内に、主制御基板を収容する。なお、主制御基板は、そのＣＰＵやＲＯＭやＲＡＭなどの各種電子部品が実装された実装面をボックスベース１０８１に向け、その電子部品を取り付けるための半田面をボックスカバー１０８２に向けて、基板ボックス１０８内に収容されている。
【００６２】
本実施例では、図１１，図１４に示すように、ボックスベース１０８１は、例えばその外形が前面視で略直方体形状で、主制御基板が挿入される開口部（図１４参照）を有する有底箱形状となっている。また、ボックスカバー１０８２は、図１４に示すように、ボックスベース１０８１の開口部を覆うためのものである。ボックスベース１０８１およびボックスカバー１０８２は、例えば透明樹脂成型品である。
【００６３】
また、基板ボックス１０８は、図１４に示すように、主制御基板が取り付けられたボックスベース１０８１でのその主制御基板の取付面側にボックスカバー１０８２を合わせた状態でボックスベース１０８１又はボックスカバー１０８２の少なくとも一方を当該合わせ面所定方向にスライド移動させることでボックスベース１０８１とボックスカバー１０８２とを係止する係止部材１０８３を備えている。
【００６４】
係止部材１０８３は、図１４に示すように、ボックスベース１０８１でのスライド方向に平行な両辺（上面および下面）箇所にその辺方向に複数個（図示例では６個）配設された係止爪１０８４と、ボックスカバー１０８２でのスライド方向に平行な両辺箇所にその辺方向に複数個（図示例では６個）配設されて係止爪１０８４が係止される被係止部１０８５とを備えている。
【００６５】
係止爪１０８４は、図１４に示すように、ボックスベース１０８１からボックスカバー１０８２の方に突出する鉤部を備えている。
【００６６】
被係止部１０８５は、図１４に示すように、係止爪１０８４の鉤部が挿入された状態でボックスベース１０８１とボックスカバー１０８２とのスライドを制止する。
具体的には、図１４に示すように、ボックスベース１０８１の開口部をほぼ覆うようにボックスカバー１０８２を合わせた状態で、このボックスベース１０８１とボックスカバー１０８２とは相対的に係止爪１０８４の鉤部の先端部分の長さ程度にスライド可能であり、この鉤部の先端部分の長さ程度にスライド移動させると、ボックスベース１０８１の開口部をボックスカバー１０８２で閉塞した状態に合わせた位置となり、ボックスベース１０８１とボックスカバー１０８２とのスライドが停止する構成としている。
【００６７】
基板ボックス１０８は、図１４に示すように、ボックスカバー１０８２の所定箇所に形成された有底収納部１０８７の内部に挿入されて係止される係止用部材１０８８と、この係止用部材１０８８に嵌合するボックス封印部材１０８６と、有底収納部１０８７に係止用部材１０８８およびボックス封印部材１０８６が装着された状態で、かつ、ボックスカバー１０８２にボックスベース１０８１を相対的にスライド装着した状態で、封印部１０９０に挿入されて係止用部材１０８８に係止されるかしめ部材１０９１と予備かしめ部材１０９２と、を備えている。
【００６８】
かしめ部材１０９１と予備かしめ部材１０９２は形状、使用か所、役割等が異なる。１番目のかしめ部材１０９１は、ボックスベース１０８１の開口部１０８９と、ボックス封印部材１０８６の封印部１０９０（ボックスカバー１０８２）に係止される部材である。２番目のかしめ部材１０９２は、ボックスベース１０８１の側面に突出するように設けられた予備封印部１０９０a内に備えられる部材である。この予備封印部１０９０a内のかしめ部材１０９２は、当初はボックスベース１０８１の開口部１０８９とボックス封印部材１０８６の封印部１０９０に差し込まれていない。
【００６９】
１番目のかしめ部材１０９１は、図１１（ｂ）に示すように、図示の上から４段目の封印部１０９０に当初から係止されている。この４段目の封印部１０９０のかしめ部材１０９１を必要に応じて切断した際に、再度ボックスカバー１０８２をボックスベース１０８１に閉止する必要がある。このときに、２段目と３段目の封印部１０９０の位置にある予備封印部１０９０a内にある２番目の予備かしめ部材１０９２を、そのままボックスベース１０８１の開口部１０８９とボックス封印部材１０８６の封印部１０９０まで押し込むように差し込ようになっている。
【００７０】
このボックス封印部材１０８６は、図１２〜図１４に示すように、主制御基板が取り付けられたボックスベース１０８１でのその主制御基板の取付面側にボックスカバー１０８２を合わせた状態でボックスベース１０８１およびボックスカバー１０８２を開封不可に封止する部材である。
【００７１】
ボックスカバー１０８２に係止用部材１０８８を介して取り付けられたボックス封印部材１０８６は、かしめ部材１０９１と予備かしめ部材１０９２が嵌入される孔である封印部１０９０を、ボックスベース１０８１は、かしめ部材１０９１と予備かしめ部材１０９２が嵌入される孔である開口部１０８９を有し、封印部１０９０と開口部１０８９は、ボックスベース１０８１とボックスカバー１０８２が閉塞した状態で重なる位置に形成されている。よって、かしめ部材１０９１と予備かしめ部材１０９２を重なった封印部１０９０および開口部１０８９に嵌め入れることにより、ボックスベース１０８１およびボックスカバー１０８２はスライド移動を抑止するように固定され、開封不可に封止される。
【００７２】
さらに基板ボックス１０８は、遊技盤６１の背面側に取り付けるヒンジ部材に装着する部材である本体取付封印部材１０９３を備えている。本体取付封印部材１０９３は、複数箇所のうち１箇所の別封止部１０９４に破断ねじ１０９５を差し込み、基板ボックス１０８（ボックスベース１０８１とボックスカバー１０８２）側に嵌合させたボックス封印部材１０８６の固定穴１０９６に螺入することで、基板ボックス１０８を遊技盤６１に装着される。具体的には、図１４に示すようにボックスベース１０８１とボックスカバー１０８２とを合わせた状態において、ボックスベース１０８１の２箇所の別封止部１０９４に形成された各貫通孔に破断ねじ１０９５をそれぞれ挿入して基板ボックス１０８（ボックス封印部材１０８６）側の固定穴１０９６に螺入することで、ボックスベース１０８１とボックスカバー１０８２とが破断ねじ１０９５で締結される。
【００７３】
この破断ねじ１０９５は所定以上の締め付けトルクがかかるとネジ頭が破断し、緩めることができないようになっている。
【００７４】
図示例の本体取付封印部材１０９３では、４か所の別封止部１０９４を設けている。これらの別封止部１０９４は、本体取付封印部材１０９３側に固定解除用被破壊部１０９７を介して取り付けられている。図示例では、この固定解除用被破壊部１０９７は筒状の別封止部１０９４の周囲にその軸方向に沿って所定の間隔をあけて凸条を形成したものである。これはニッパーや刃物などの切断工具によって切断破壊しやすくするためである。
【００７５】
破断ねじ１０９５を螺入している別封止部１０９４の固定解除用被破壊部１０９７が切断（破壊）されると、本体取付封印部材１０９３の切断された別封止部１０９４が当該本体取付封印部材１０９３から分離されることになり、基板ボックス１０８が遊技盤６１から外されたことがわかる。この固定解除用被破壊部１０９７の破壊により、その基板ボックスは適正又は不正を問わず取り外されたことを表示することになる。
【００７６】
図１５は実施例の本体取付封印部材１０９３を基板ボックス１０８に取り付ける状態を示す正面図であり、（ａ）は取り付ける前の状態、（ｂ）は取り付けた後の状態である。
このような機能を有する固定解除用被破壊部１０９７により、本体取付封印部材１０９３の側方に配置する複数の別封止部１０９４は側方へ大きく飛び出した形状になる。本体取付封印部材１０９３の一面から別封止部１０９４の先端までは大きな間隔（Ｌ１）を有する。また、２番目の予備かしめ部材１０９２を保持する予備封印部１０９０aは、ボックスベース１０８１の側面に突出するように設けられている。これらの別封止部１０９４と予備封印部１０９０aがお互いに干渉しあっている。そこで、本発明では、基板ボックス１０８側のボックス封印部材１０８６のかしめ部材１０９１の封印部１０９０と、予備かしめ部材１０９２の予備封印部１０９０aと、本体取付封印部材１０９３の別封止部１０９４が、それぞれ互い違いに入り組んだ状態になるように配置した。
【００７７】
即ち図１５（ａ）に示すように、本体取付封印部材１０９３の側方に配置された別封止部１０９４について、図示上で最上段と２段目の別封止部１０９４は、基板ボックス１０８側の上段の予備封印部１０９０aを挟み、３段目と４段目の別封止部１０９４は、基板ボックス１０８側の下段の予備封印部１０９０aを挟んだ。これらの別封止部１０９４と予備封印部１０９０aとは略直線上に重なるように配置された。これにより別封止部１０９４の側方への突出を防止して、基板ボックス１０８全体のコンパクト化に寄与するものである。これにより、基板ボックス１０８内に収容する制御基板は大きなものを入れることができる。
【００７８】
なお、予備封印部１０９０aと別封止部１０９４との配列は、上述したものに限定されず、基板ボックス１０８の形状又は本体取付封印部材１０９３に応じてその順番を変更することはもちろん可能である。また、２か所の予備封印部１０９０aと４か所の別封止部１０９４について説明したがこの設置個数も適宜選択することができる。
【００７９】
＜係止用部材１０８８＞
図１６は係止用部材１０８８をボックスカバー１０８２に取り付ける状態を示す拡大斜視図である。図１７は係止用部材１０８８をボックス封印部材１０８６に嵌合する前の状態を示す拡大断面図である。図１８は係止用部材１０８８をボックス封印部材１０８６に嵌合した状態を示す拡大断面図である。
本発明の係止用部材１０８８は、例えば細長い１枚の金属板を短手方向に横断面が略コ字形状になるように曲折したものである。係止用部材１０８８は、ボックスカバー１０８２に形成された長溝状の有底収納部１０８７から容易に抜け出ないように嵌合する。更に、この係止用部材１０８８の隙間には、ボックス封印部材１０８６の長手方向に形成された数か所の凸条１０９８が嵌合する。これらの凸条１０９８は、図１７に示すように、一部の封止部１０９０では横切るように形成されている。かしめ部材１０９１，予備かしめ部材１０９２をこの封止部１０９０から差し込み固定することにより、ボックスベース１０８１をボックスカバー１０８２に強固に固定することができる。
【００８０】
係止用部材１０８８には、その数か所に略コ字形状に切欠きを入れ、それを外方へ曲げた抜け止め１０９９を有する。この抜け止め１０９９は、係止用部材１０８８が弾性を有する板材を用いているので、かしめ部材１０９１の係止部１１００に嵌合するようになる。
【００８１】
この１枚の係止用部材１０８８が差し込まれる長溝状の有底収納部１０８７の幅は、係止用部材１０８８の横幅と略同じ長さである。但し、抜け止め１０９９が形成されている部分、即ちかしめ部材１０９１が差し込まれる位置はこの抜け止め１０９９の突出長分（かしめ部材１０９１の板厚分）の空間を確保すべく、幅広になっている。この幅広になっている位置はそのまま封印部１０９０になる。
【００８２】
係止用部材１０８８には、同じく予備かしめ部材１０９２が差し込まれる位置に予備かしめ部材用抜け止め１０９９ａが形成されている。この予備かしめ部材用抜け止め１０９９ａは、かしめ部材１０９１の係止部１１００とは異なり、係止用部材１０８８の内側に１枚飛び出した状態になる。図２６に示すように、予備かしめ部材１０９２の係止部１１０１が１か所のみであり、これに合わせて予備かしめ部材用抜け止め１０９９ａも１か所のみ設けられている。
【００８３】
また、予備かしめ部材用抜け止め１０９９ａの形成に合わせて、この位置に穴１０９９ｂが開けられている。これらの穴１０９９ｂは係止用部材１０８８を金型で、折り曲げ成形する際に金型内で干渉しないようにするためである。
【００８４】
係止用部材１０８８の内側は、ボックス封印部材１０８６の長手方向に形成した凸条１０９８を嵌脱自在に嵌合するようになっている。これによりボックスカバー１０８２と、ボックス封印部材１０８６の封止部１０９０とを連結することができる。ボックス封印部材１０８６とこれに接続する本体取付封印部材１０９３との連結部分を強度的に補強する効果を発揮する。即ちこの金属製の係止用部材１０８８はボックスカバー１０８２の強度を高める機能を有する。
【００８５】
ボックス封印部材１０８６に形成した凸条１０９８に係止用部材１０８８を取り付ける際に、位置がずれることがある。この係止用部材１０８８の位置がずれた状態で、凸条１０９８を係止用部材１０８８に装着しようとしても容易に組み付けることができないことがある。そのまま無理に押し込むと、係止用部材１０８８を曲げてしまい、ボックスカバー１０８２を破損させるおそれがある。そこで、この係止用部材１０８８の抜け止め１０９９には、単純な細長い金属板材を曲折したものではなく、その中間位置に位置決め用の孔１１０２を開けている。これは、ボックス封印部材１０８６の凸条１０９８に取り付けやすくするためである。この凸条１０９８には、この孔１１０２を貫通する位置決め用の突起片１１０３が形成されている。この凸条１０９８の突起片１１０３を係止用部材１０８８の孔１１０２に貫通させることで、常に係止用部材１０８８がボックス封印部材１０８６の適正な位置に取り付けられ、容易に組み立てすることができる。
【００８６】
また、係止用部材１０８８の開口には、凸条１０９８を円滑に嵌合できるように係止用部材１０８８の端縁を曲折した受け口１１０４を形成した。係止用部材１０８８の開口がボックス封印部材１０８６の凸条１０９８の板厚より広く開いていないときがあり、凸条１０９８を係止用部材１０８８の開口に差し込むことが困難になることがある。そこで、係止用部材１０８８の開口が多少狭まった状態であっても、この受け口１１０４により凸条１０９８の端縁が引っ掛からず円滑に差し込むことができる。図示例では直角に曲折した状態を示しているが、湾曲した形状、又は係止用部材１０８８の差し込み方向に向けて傾斜するように曲折するようにすることも可能である。
【００８７】
更に、この受け口１１０４には折り返し部１１０５が形成されているので、ボックスカバー１０８２の有底収納部１０８７に装着した際に、このボックスカバー１０８２の壁面の端縁に嵌合して係止用部材１０８８の開口を固定し、閉じないようにする機能を併せ持つ。そこで、常に係止用部材１０８８の開口を開いた状態に維持することができ、ここへの凸条１０９８の差し込みを容易にすることができる。
【００８８】
また、この受け口１１０４の折り返し部１１０５の位置に、この折り返し部１１０５が固定されるようにボックスカバー１０８２の端縁に段差１０８７ａを形成した。この段差１０８７ａ部分に折り返し部１１０５が止まることで、係止用部材１０８８の長手方向への位置ずれを防止することができる。この段差１０８７ａにより、係止用部材１０８８の抜け止め１０９９を常に適正な位置に配置させることができるので、かしめ部材１０９１の係止部１１００の嵌合を円滑にさせることができる。
【００８９】
この受け口１１０４は、先に係止用部材１０８８をボックスカバー１０８２の有底収納部１０８７に装着した際は、係止用部材１０８８の開口を固定する機能を有する。逆に、先に係止用部材１０８８をボックス封印部材１０８６の凸条１０９８に装着するときは、これを円滑に装着させる機能を有する。何れも円滑な組み立てを実現する機能を有する。また、係止用部材１０８８の開口が鋭利な状態になっているときは、組立作業の際に指を切るおそれもあるが、この受け口１１０４によりそれを防止することができる。
なお、図１６の図示例では２か所の受け口１１０４を形成した実施例を示している。この受け口１１０４はかしめ部材１０９１又は予備かしめ部材１０９２の挿入を干渉しない位置であればこのような２か所に限定されない。
【００９０】
また、受け口１１０４は予備かしめ部材１０９２の通過位置になっており、この予備かしめ部材１０９２は全体が、かしめ部材１０９１より板厚に形成されている。かつ予備かしめ部材１０９２は係止用部材１０８８の内側に係止される部材である。そこで、受け口１１０４により、予備かしめ部材１０９２の挿入側が円滑に係止用部材１０８８の内側に係止されるようになる。
【００９１】
上述したように本発明のボックスカバー１０８２は、有底収納部１０８７を形成し、これに係止用部材１０８８を装着する構成にしたので、合成樹脂成形加工用の可動型や固定型の２種の金型で製造することができる。この係止用部材１０８８を用いない従来のようなボックスカバー１０８２を製造する際には、かしめ部材を掛け止める抜け止め用の金属製部品などを取り付けるため、ボックスカバー１０８２の側面に穴や凹凸（アンダーカット）を形成する必要がある。この凹凸（アンダーカット）を成形するときに、成形加工用の可動型の可動方向と異なる方向になるように、可動型と固定型以外に別の金型、入れ子などが必要とする。そのために、製造コストが高くなるおそれがある。また、成形後の製品に不具合が発生しやすいというおそれもあった。
【００９２】
そこで、本発明のボックスカバー１０８２は、その有底収納部１０８７の形状が可動型の動作方向と同一方向であるために入れ子などの他の加工部品を必要としない。なお、このとき抜き型として有底収納部１０８７の一部に貫通穴が形成される。この貫通穴は係止用部材１０８８の位置決めとして利用することが可能である。
【００９３】
この有底収納部１０８７には、細長い板状部材から成る係止用部材１０８８を斜めから差し込むように嵌合させる。このとき係止用部材１０８８の抜け止め１０９９は、ある程度の突出部分があっても、かしめ部材１０９１が差し込まれる有底収納部１０８７に形成されている空間部分内を移動するので、干渉されることなく、斜めから差し込むことができる。そこで、組み付け作業を円滑に行えるようになっている。
【００９４】
図１９は係止用部材１０８８の製造方法の一例を示す説明図であり、（ａ）はせん断加工と切欠き加工を示し、（ｂ）、（ｃ）は成形加工を示す。
本発明の係止用部材１０８８は、その全体の形状にせん断加工かつ抜け止め１０９９の切欠き加工を同時に行い１種類の金型を用いて成型し、この打ち抜いた部品を抜け止め１０９９を突出させた状態で、部品全体を横断面形状が略コ字形状になるように曲折する１種類の金型を用いて成型し、２種類の金型で成型が完了する。
【００９５】
係止用部材１０８８では、先ず図１９（ａ）に示すように、係止用部材１０８８の部品全体の輪郭線と共に、受け口１１０４の形状に沿ってせん断加工する。同時に複数個所の抜け止め１０９９部分の切欠き加工する。このときは１種類の金型を用いて成型することができる。
次に金型プレス加工により、図１９（ｂ）に示すように、係止用部材１０８８全体を断面形状がコ字形状に成形すると同時に、図１９（ｃ）に示すように、受け口１１０４の曲げ加工と抜け止め１０９９部分の曲げ加工する。そこで、従来のように３種類の金型を用いる必要がないので、製造コストを低減することができる。
【００９６】
＜かしめ部材１０９１＞
図２０は本発明のかしめ部材１０９１と予備かしめ部材１０９２をボックスベース１０８１の開口部１０８９に差し込む状態を示す斜視図である。図２１は本発明の基板ボックス１０８にかしめ部材１０９１と予備かしめ部材１０９２とその周辺の部材を組み付ける状態を示す分解斜視図である。
本発明のかしめ部材１０９１と予備かしめ部材１０９２は、ボックスベース１０８１の開口部１０８９とボックス封印部材１０８６の封印部１０９０に挿入する部材である。かしめ部材１０９１と予備かしめ部材１０９２はボックス封印部材１０８６の封印部１０９０に挿入され、その先の係止用部材１０８８に係止された状態となる。これによりボックスベース１０８１とボックスカバー１０８２との相対的なスライド移動を不可とするとともに、係止後のかしめ部材１０９１と予備かしめ部材１０９２が取り外し不可となる。
【００９７】
図２２は本発明のかしめ部材１０９１を示す拡大斜視図である。図２３は本発明のかしめ部材１０９１と従来のかしめ部材との比較図であり、（ａ）は本発明のかしめ部材、（ｂ）は従来の強度的に問題があるかしめ部材、（ｃ）は従来の寸法に問題があるかしめ部材である。図２４は係止用部材１０８８の両係止部１０９９を示す拡大正面図である。図２５は本発明のかしめ部材１０９１を差し込む状態を示すボックス封印部材１０８６の拡大断面図である。
かしめ部材１０９１と予備かしめ部材１０９２とは２種類の形状のものを用いている。１番目のかしめ部材１０９１は、図２２に示すように、例えば金属製の細長い板材を断面形状が略コ字状に成るように曲折したものである。このかしめ部材１０９１は２か所の挿入先端を具備し、両挿入先端側に掛止め用の切欠き１１００が形成されている。係止用部材１０８８の両係止部１０９９は、図２４の拡大正面図に示すように、封印部１０９０内において互い違いに突出した状態にある。そこで、この両方の係止部１０９９に掛け止めるようにかしめ部材１０９１は２か所の挿入先端を具備し、両挿入先端側に形成した掛止め用の切欠き１１００は、図２２に示すように、その開口の向きがそれぞれ逆向きに成る。
【００９８】
かしめ部材１０９１全体の形状は、図示した断面形状で略コ字状の形状に限定されない。略コ字状は封印部１０９０内において隙間なく掛止めることができる形状と考えられたからである。例えば、封印部１０９０のかしめ部材１０９１の両先端側で跨ぐ位置の部材が断面で円弧状になるときは、例えば略Ｕ字状の形状にしたかしめ部材１０９１でもよい。更に、かしめ部材１０９１と封印部１０９０側とに隙間が形成されない構成であれば、略コ字状、略Ｕ字状に限定されず、曲折した部分が略台形状又は略三角形状など種々のものにすることができる。
【００９９】
本発明のかしめ部材１０９１は従来のように掛止め用の部材に単純な四角形状の貫通穴を設けたものではない。図２３の比較図に示すように、図２３（ｂ）に示すような形状であると、貫通穴（係止部）Ｐ１は係止部１０９９に掛け止められる程度の所定幅が必要になるので、相対的に本体の支持部分Ｐ２の幅（ｄ３）が狭くなり、強度的に問題がある。
一方、図２３（ｃ）に示すような形状であると、支持部分Ｐ２の幅（ｄ４）を長くして貫通穴Ｐ１もある程度の大きさにすると、全体的にかしめ部材の幅（ｄ５）が長くなり、基板ボックス１０８全体をコンパクトにするという趣旨に反する。そこで、本発明では、掛止める部分の機能を損なうことなく全体をコンパクトにするため、図２３（ａ）に示すように、切欠き１１００の奥行き（ｄ１）と支持部の幅（ｄ２）とを略同じ長さにして強度を維持しつつ、かしめ部材１０９１全体の小型化を実現したものである。
【０１００】
また、図２４に示すように、係止用部材１０８８の両係止部１０９９はこの封印部１０９０内において互い違いに位置して突出した状態にあるが、この係止部１０９９とかしめ部材１０９１の切欠き１１００は点対称に配置されているために、かしめ部材１０９１を左右逆に配置しても掛け止めることができる。図２４の図示例では、図示上で左側の係止部１０９９が高い位置に、右側の係止部１０９９が低い位置に配置した例を示しているが、これに限定されず、逆配置の右側の係止部１０９９が高い位置に、左側の係止部１０９９が低い位置に配置したものでもよい。そのときは同時にこの配置に即してかしめ部材１０９１の切欠き１１００の配置も逆にする必要がある。
【０１０１】
本発明のかしめ部材１０９１は従来の部品と比較して、小型化にしたので相対的に板厚にして更に強度を高めている。また、部材の板厚を厚くすることで、ドライバーや鋭利な先端を有する工具で不正にこじ開けることを防止することができる。更に、２個の部品を寄せ集めて１個の部品とするいわゆる２個１の防止にもなる。
【０１０２】
＜予備かしめ部材１０９２＞
図２６は本発明の２番目の予備かしめ部材１０９２を示す拡大斜視図である。
２番目の予備かしめ部材１０９２は、上述したようにボックスベース１０８１の側面に突出するように設けられた予備封印部１０９０ａ内に備えられる部材である。この予備かしめ部材１０９２は、例えば金属製の細長い板材を断面形状が略Ｌ字形状に曲折したものである。このかしめ部材１０９２は１か所の挿入先端を具備し、その挿入先端側に掛止め用の係止部１１０１が形成されている。
【０１０３】
予備かしめ部材１０９２の係止部１１０１は、係止用部材１０８８に形成された予備かしめ部材用抜け止め１０９９ａに係止される。この予備かしめ部材用抜け止め１０９９ａは、かしめ部材１０９１の係止部１１００とは異なり、係止用部材１０８８の内側に１枚飛び出した状態になる。そこで、予備かしめ部材１０９２は図２６に示すように、係止部１１０１が１か所のみである。
【０１０４】
予備封印部１０９０a内にある２番目の予備かしめ部材１０９２は、１番目のかしめ部材１０９１が切断された後、再度ボックスカバー１０８２をボックスベース１０８１に閉止するときに、この２番目の予備かしめ部材１０９２を、そのままボックスベース１０８１の開口部１０８９とボックス封印部材１０８６の封印部１０９０まで押し込むように差し込んで使用する。
【０１０５】
＜封印シール１２０１＞
図２７は本発明の基板ボックス１０８に、封印シール１２０１と、封印シールケース１２１２と、カッターカバー１２１７をこの順番で取り付ける状態を示す斜視図である。図２８は本発明の基板ボックス１０８に封印シールケース１２１２を取り付ける前の状態を示す右側面図である。図２９は本発明の基板ボックス１０８に封印シールケース１２１２を取り付けた後の状態を示し、（ａ）は正面図、（ｂ）は平面図である。
図２７と図２８に示すように、基板ボックス１０８を構成するボックスベース１０８１には封印シール１２０１を貼り付けるための貼付板部１２０２が形成されている。貼付板部１２０２は、ボックスベース１０８１の短辺側に沿うようにして略板状に形成されている。また、ボックスベース１０８１に形成された貼付板部１２０２に対応させてボックスカバー１０８２にも同様の貼付板部１２０３が形成されており、両貼付板部１２０２，１２０３は隙間をあけて配置されている（図２８参照）。これら両貼付板部１２０２，１２０３には、厚み方向に貫通するねじ穴１２０４が形成されており、ねじにより両貼付板部１２０２，１２０３（ボックスベース１０８１及びボックスカバー１０８２）が固定されている。即ち、ボックスベース１０８１とボックスカバー１０８２との固定は、上述したかしめ部材１０９１，１０９２が封印部１０９０および開口部１０８９に差し込まれ、更にこの貼付板部１２０２，１２０３におけるねじ固定により行われている。
【０１０６】
貼付板部１２０２，１２０３の外面は平坦面となっており、この外面には両貼付板部１２０２，１２０３を跨ぐようにして略矩形状の封印シール１２０１が折り曲げて貼り付けられる。詳細には、封印シール１２０１を略コ字状に折り曲げることで、両貼付板部１２０２，１２０３を跨ぐ構成となっている（図２７参照）。この場合に、両貼付板部１２０２，１２０３のねじ穴１２０４は封印シール１２０１により覆われる。
【０１０７】
封印シール１２０１は、略矩形状のベースシートを備え、このベースシートの背面には粘着剤が塗布され粘着剤層が形成されている。また、粘着剤層の一部に対してアンテナ付きＩＣチップ（図示せず）が貼り付けられている。なお、粘着剤層の背面側に剥離シートを備えている。この剥離シートは封印シール１２０１を基板ボックス１０８に貼り付ける際に剥がされるものであり、封印シール１２０１の使用前に封印シール１２０１が不用意に貼り付かないようになっている。
【０１０８】
封印シール１２０１のベースシートは、例えばポリエステル系フィルムなどの可撓性樹脂フィルムにより形成されており適度な脆性を有し、さらに溶剤や熱に対して反応性を有する。具体的には、粘着剤層を構成する粘着剤に対して溶解性を備えたトルエンなどがベースシートに塗布されると、ベースシートは変色する。また、粘着剤層の粘着力が低下する温度（例えば、５０℃）以上の熱が加えられた場合にもベースシートは変色する。これにより、基板ボックス１０８の貼付板部１２０２，１２０３から封印シール１２０１を不正に剥がそうとして溶剤がかけられたり、熱が加えられたりした場合、ベースシートが変色することで当該不正行為の痕跡を残すことができる。
【０１０９】
封印シール１２０１の粘着剤層の粘着剤は、従来の封印シールと同様に、一旦貼り付けされた後に剥がされるとベースシートから剥がれる程度の粘着力を有している。従って、封印シール１２０１が剥がされた場合には再度貼り付けすることが不可能なものであり、さらには粘着剤層の一部が貼付板部１２０２，１２０３側に残ることとなる。よって、封印シール１２０１を不正に剥がした痕跡を残すことができる。
【０１１０】
アンテナ付きＩＣチップは、ＩＣチップ及びアンテナ部より構成されており、長尺状のアンテナ部の中央付近にＩＣチップが配置されている。ＩＣチップは集積回路として形成されるものであり、制御部及びメモリー領域を有する。メモリー領域には、識別データとしてのＩＤ情報が格納されている。アンテナ部は、アルミ等の金属薄層で形成されており、その厚みはＩＣチップの厚みよりも薄い。また、アンテナ部は、共振周波数が一定周波数となるようにアンテナパターンとして作製されている。
【０１１１】
ＩＣチップのＩＤ情報は、制御部によって呼び出されてアンテナ部から発信することができるように構成されており、アンテナ部から発信されたＩＤ情報をリーダー／ライターとして形成されるスキャナーで受信して読み取ることができるようになっている。詳細には、スキャナーからは周波数の微弱な電波で呼び出しが行われるようになっており、この電波で誘導電磁界が形成される。そして誘導電磁界内にアンテナ部が位置する程度に、スキャナーをアンテナ部に近接させると、アンテナ部に電磁誘導で起電力が発生する。ＩＣチップではこの起電力を電源として、メモリー領域に格納されているＩＤ情報を制御部で呼び出してアンテナ部から送信することができ、このように発信されたＩＤ情報をスキャナーで受信して読み取ることができる。
【０１１２】
アンテナ付きＩＣチップのアンテナ部は、粘着剤層が形成されたベースシートに対し、ベースシートの一隅部側からその対角方向の隅部側に亘って斜めに配置されている。詳細には、アンテナ部はベースシートの対角線上又は、アンテナ部の長手方向がベースシートの両対角線と交差するように配置されている。この場合、長尺状のアンテナ部はその長手方向がベースシートのすべての辺方向と交差することとなる。そして、封印シール１２０１が両貼付板部１２０２，１２０３に跨って貼り付けられているのに伴って、アンテナ部も両貼付板部１２０２，１２０３に跨っている。
【０１１３】
また、封印シール１２０１には、アンテナ部の長手方向に沿って等間隔で並ぶ多数のアンテナ用切り込みが形成されている。アンテナ用切り込みは、アンテナ部の長手方向に対して略直交する方向に延びる直線状であり、ベースシートの表面側から粘着剤層の背面側まで貫通している。ちなみに、アンテナ用切り込みが延びる方向は、アンテナ部の長手方向に対して略直交する方向であるため、ベースシートのすべての辺方向と交差している。また、アンテナ用切り込みは、アンテナ部に若干掛かる構成となっている。この場合に、アンテナ部はアンテナ用切り込みにより分断されていないため、ＩＤ情報の送信に関して弊害は生じない。また、アンテナ用切り込みがアンテナ部を挟んで直線状に並ばないように、アンテナ部の一側に位置するアンテナ用切り込みと他側に位置するアンテナ用切り込みとはずらして形成されている。詳細には、アンテナ部の一側に位置するアンテナ用切り込みと他側に位置するアンテナ用切り込みとは、アンテナ部の長手方向に沿って交互に並ぶように形成されている。
【０１１４】
封印シール１２０１の外縁には、図２７に示すように、外側端部から内側に向けて多数の外縁切り込みが形成されている。これら外縁切り込みは、内側から外側に向けて開くようにして鋭角のＶ字状となっており、さらに封印シール１２０１の外周に沿う方向に等間隔で形成されている。従って、基板ボックス１０８の貼付板部１２０２，１２０３から封印シール１２０１を剥がそうとすると、この剥がす力に伴う応力が外縁切り込みの内側端部（内側に尖った部位）に集中し、また上記のとおりベースシートが適度な脆性（封印シール１２０１を剥がす力に伴う応力によって一部が破壊される脆性）を有していることにより、封印シール１２０１に破れなどといった破壊が生じる。
特に、封印シール１２０１をその隅角から剥がしていくと、剥がす力に伴う応力がベースシートの隅角部分にある内側端部に集中し、ベースシートが対角線方向に大きく破壊されることとなる。また、封印シール１２０１は貼付板部１２０２，１２０３に対して略コの字状に折り曲げて貼り付けられているので、封印シール１２０１をその隅角から剥がしていくと、剥がす力に伴う応力が折り曲げ部分に集中し、ベースシートが破壊されることとなる。
これにより、封印シール１２０１が剥がされたことの痕跡を残すことができ、主制御基板に対して不正行為が行われたことを容易に発見することができる。
【０１１５】
さらに、封印シール１２０１の４隅には、ベースシートの表面側から粘着剤層の背面側まで貫通する隅側切り込みがそれぞれ形成されている。詳細には、隅側切り込みは、封印シール１２０１の隅角の内側にて当該隅角に沿うようにしてＬ字状に形成されている。よって、封印シール１２０１の隅角側から剥がされると、隅側切り込みから短辺及び長辺方向に大きな破壊が生じ、不正行為の痕跡を残すことができる。
【０１１６】
しかし、上記のように外縁切り込みや隅側切り込みが形成された構成であっても、封印シール１２０１の一辺全体からその辺に直交する方向に沿って封印シール１２０１が剥がされると封印シール１２０１の破壊が生じ難い。即ち、封印シール１２０１をその角から剥がす場合や、封印シール１２０１の外縁における隣り合う外縁切り込み間を摘んで剥がす場合などは、剥がす力に伴う応力が少数の外縁切り込みの内側端部に集中するため、外縁切り込みを介した封印シール１２０１の破壊が生じ易い。一方、矩形状の封印シール１２０１の一辺全体からその辺に直交する方向に沿って剥がす場合には、剥がす力に伴う応力が多数の外縁切り込みの内側端部に分散されるため、外縁切り込みを介した封印シール１２０１の破壊が生じ難い。よって、後者の方式で封印シール１２０１が剥がされると、外縁切り込みでは不正の痕跡が残らない場合がある。
【０１１７】
これに対して、上述したように、アンテナ部が封印シール１２０１の一隅部側からその対角方向の隅部側に亘って延びるようにして斜めに配置されている。また、封印シール１２０１の一辺に沿う方向はアンテナ部の延びる方向に対して交差する方向である。従って、剥がす力に伴う応力がアンテナ部の周囲に位置するアンテナ用切り込みの端部に集中することで、アンテナ用切り込みを介してベースシートが破壊され、それに伴ってアンテナ部が分断されることとなる。アンテナ部が分断されるとＩＤ情報がアンテナ部から送信されなくなるので、ＩＤ情報をスキャナーで読み取ることができなくなる。よって、封印シール１２０１を貼付板部１２０２，１２０３からきれいに剥がして基板ボックス１０８を開封し、主制御基板に対して不正を行った後に、基板ボックス１０８を封印して封印シール１２０１を再度きれいに貼ったとしても、当該不正行為を容易に発見することができる。
【０１１８】
＜封印シール１２０１用のカッター１２０５＞
図３０は本発明のカッター１２０５を示し、（ａ）は拡大正面図、（ｂ）はＢ−Ｂ線拡大断面図である。
本発明の封印シール１２０１用のカッター１２０５は、貼付板部１２０２，１２０３の境界に出没するように取り付けられている。このカッター１２０５は、基板ボックス１０８を開封する際に、貼付板部１２０２，１２０３に跨ぐように貼り付けられた、アンテナ付きＩＣチップを有する封印シール１２０１を切断する部材である。このように主制御基板を収容するボックスベース１０８１とボックスカバー１０８２とを跨ぐようにして封印シール１２０１が貼り付けられている。基板ボックス１０８を開封するためには、貼付板部１２０２，１２０３から封印シール１２０１を切断し、又は剥がして貼付板部１２０２，１２０３のネジ固定を解除する必要がある。この場合、封印シール１２０１が不正に剥がされたこと、即ち、主制御基板に対して不正が行われたことの痕跡が明確に残ることとなる。
【０１１９】
また、この封印シール１２０１を構成した制御基板装置であっても、開封の痕跡が残らないようにして巧妙に不正が行われる可能性がある。例えば封印シール１２０１について薬剤を用いてその粘着部分又は接着部分を溶かすようにして封印シール１２０１全体を一旦剥がし、その後再び基板ボックス１０８に貼り直して元の状態に戻す不正までは防止しづらかった。そこで、正規に基板ボックス１０８を開封する際には、この封印シール１２０１を積極的に切断して再利用できないようにカッター１２０５を備えた。
【０１２０】
本発明のカッター１２０５は、図３０に示すように、貼付板部１２０２，１２０３の内側において、文字通り全体がナイフ状の刃本体１２０６を配置し、刃本体１２０６の一端に軸受け部１２０７を、刃本体１２０６の他端につまみ部１２０８をそれぞれ備えた部材である。軸受け部１２０７はボックスカバー１０８２に形成された軸部１２０９に回動自在に差し込む部分である。つまみ部１２０８は、カッター１２０５を軸受け部１２０７を回転中心として動作させる部分である。図示例ではつまみ部１２０８を親指と人差し指で挟みやすいように円形状の穴を開けた形状としている。また、このつまみ部１２０８は貼付板部１２０２，１２０３の内側に刃本体１２０６が配置された状態で、図２９（ａ）（ｂ）に示すように貼付板部１２０２，１２０３の端縁から側方へ突出した状態になるように、刃本体１２０６の長手方向に対して直角に飛び出した状態に形成した。
【０１２１】
また、つまみ部１２０８の反対側にはカッター１２０５を基板ボックス１０８（ボックスベース１０８１とボックスカバー１０８２）側に仮止めするストッパ部１２１０を形成した。図示例のストッパ部１２１０は、２本の部材の各先端に曲折部を設け、各曲折部がボックスベース１０８１又はボックスカバー１０８２に形成した鉤部に係止される構成になる。素材が合成樹脂であればその可撓性により所定の力を加えれば、ストッパ部１２１０の２本の部材が撓んで鉤部に係止され、また外すことができるようになっている。なお、ストッパ部１２１０の構成は、部材の撓みを利用して鉤部に係止される構成であれば、図示例の２本の部材の構成に限定されない。
【０１２２】
刃本体１２０６には、カッター１２０５を貼付板部１２０２，１２０３の内側に取り付けたときに、貼付板部１２０２，１２０３に開けられたねじ穴１２０４の位置にカッターねじ穴１２１１が開いている。ねじにより両貼付板部１２０２，１２０３（ボックスベース１０８１及びボックスカバー１０８２）が固定されている。
【０１２３】
＜封印シールケース１２１２＞
このカッター１２０５は、両貼付板部１２０２，１２０３の内側に位置し、このカッター１２０５のストッパ部１２１０がボックスベース１０８１又はボックスカバー１０８２側に係止された状態で、封印シール１２０１を両貼付板部１２０２，１２０３に跨るように貼り付ける。カッター１２０５のつまみ部１２０８は貼付板部１２０２，１２０３の隙間から飛び出した状態になる。これらのカッター１２０５と封印シール１２０１とを保護するように封印シールケース１２１２を被せる。この封印シールケース１２１２により封印シール１２０１に直接触れることを防止して不具合が発生しないようにする機能を有する。不正を防止する機能を有する。
【０１２４】
この封印シールケース１２１２は、図２７に示すように、両貼付板部１２０２，１２０３を側方から包むような１面に開口部１２１３を有する略直方体形状をなす。開口部１２１３の反対側にはカッター１２０５を動作させるスリット１２１４が形成されている。このスリット１２１４の形状は、刃本体１２０６の両端に軸受け部１２０７とつまみ部１２０８とを備えたカッターの形状に合わせて、両端が大きく開き、そこを細い隙間でつないだ形状になる。この封印シールケース１２１２には、両貼付板部１２０２，１２０３のねじ穴１２０４に相当する位置には略Ｕ字形状の切欠き１２１５も形成されている。この封印シールケース１２１２は、基板ボックス１０８（ボックスベース１０８１及びボックスカバー１０８２）に嵌脱自在に係止させる係止ピン１２１６を開口部１２１３の周囲両端に２か所設けている。
【０１２５】
図３１は本発明のカッター１２０５で切断した状態の封印シール１２０１を示す正面図である。図３２は本発明のカッター１２０５で切断した他の状態の封印シール１２０１であり、切断開始か所が特に粗い状態のものを示す正面図である。図３３は本発明のカッター１２０５で切断した他の状態の封印シール１２０１であり、切断箇所の全体が同じ状態のものを示す正面図である。
鋭利なカッターで封印シール１２０１を切断すると、鋭利な切断線を巧妙につなぎ合わせ、これを再利用されるおそれがある。そこで、本発明は鈍い刃部を有するカッター１２０５を用いた。図３１に示すように、切断した封印シール１２０１の切断線が粗くなるので、この切断部分を精緻に接続することができず、再度貼付することを防止することができる。見掛け上その封印シール１２０１が切断され、封印シール１２０１が不正に剥がされたこと、即ち、主制御基板に対して不正が行われたことの痕跡が明確に残ることとなる。
【０１２６】
また、図３２に示すように、封印シール１２０１の切断線はカッター１２０５の切断当初が特に粗い状態になったり、図３３に示すように、封印シール１２０１の切断線全体が緩やかな波線を描くものなどになる。そこで、封印シール１２０１の切断線が大きく破壊されるため、つなぎ合わせといった封印シール１２０１を再利用することを防止することができる。
【０１２７】
＜カッターカバー１２１７＞
図３４は本発明の基板ボックス１０８にカッターカバー１２１７を取り付ける状態を示す斜視図である。図３５は本発明の基板ボックス１０８にカッターカバー１２１７を取り付けた状態を示し、（ａ）は正面図、（ｂ）は底面図、（ｃ）は側面図である。
封印シール１２０１と封印シールケース１２１２とを包むように、カッターカバー１２１７を被せる。このカッターカバー１２１７により、封印シール１２０１は勿論のこと封印シールケース１２１２にも触れづらくしている。更に、カッター１２０５のつまみ部１２０８のみ開口窓１２１８（図２７参照）から突出させる構造であり、刃本体１２０６は動作できないようになっている。
【０１２８】
このカッターカバー１２１７は、図３４に示すように、基板ボックス１０８の一側面を覆うように、封印シールケース１２１２より広い空間を有する略直方体形状をなす。カッターカバー１２１７の一面には板部材１２１９を有し、この板部材１２１９の略中間位置に封印シールケース１２１２とその両側のねじ穴１２２０を包むような空間が形成された凹部１２２１が形成されている。この凹部１２２１には基板ボックス１０８（ボックスベース１０８１及びボックスカバー１０８２）側に嵌脱自在に係止させる係止部材１２２２が２か所設けられている。係止部材１２２２部材の撓みを利用して基板ボックス１０８側の鉤部に係止される構成である。
【０１２９】
また、カッターカバー１２１７には、これを遊技機１０本体側に設けた係止穴（図示省略）に嵌脱自在に係止させる差し込み式の差込係止部材１２２３が設けられている。この差込係止部材１２２３は板部材１２１９を貫通するように設けられ、遊技機１０本体側に設けた係止穴（図示省略）に嵌脱自在に係止させるように、板部材１２１９の平面に対して垂直方向に可動するようになっている。この差込係止部材１２２３の先端側（ボックスカバー１０８２側）に嵌脱自在に係止させる係止部が設けられ、後端側（ボックスベース１０８１側）に設けられた頭部を押したり、引いたりすることで、カッターカバー１２１７を遊技機１０本体側に簡単に固定し、開放することができる。
【０１３０】
このように基板ボックス１０８に封印シール１２０１と封印シールケース１２１２とを包むようにカッターカバー１２１７を被せているので、このカッターカバー１２１７を外さないと封印シール１２０１を切断できない。基板ボックス１０８について２段階で不正開封の防止を図っている。
【０１３１】
カッターカバー１２１７部分は遊技機１０本体側に簡単に固定し、開放することができる。そこで、このカッターカバー１２１７を取り付けた基板ボックス１０８は、後述するヒンジ構造１３１１により遊技機１０本体側に対して開閉するように基板ボックス１０８を装着することができる。そこで、基板ボックス１０８の裏面であるボックスカバー１０８２側も容易に確認することができる。また、ヒンジ構造１３１１を用いないときは、基板ボックス１０８のカッターカバー１２１７を装着していない、反対側にも遊技機１０本体側に固定する部材を設けることでその脱着を容易に行えるようにすることができる。
【０１３２】
＜ヒンジ構造１３１１＞
図３６はヒンジ構造１３１１と共に本体取付封印部材１０９３を基板ボックス１０８に取り付ける状態を示す分解斜視図である。図３７はヒンジ構造１３１１に本体取付封印部材１０９３を取り付ける状態を示す拡大斜視図である。
ヒンジ構造１３１１は、本体取付封印部材１０９３に取り付けられる。本体取付封印部材１０９３は、基板ボックス１０８（ボックスベース１０８１とボックスカバー１０８２）を遊技盤６１の背面側に、このヒンジ構造１３１１を介在して取り付ける部材である。
【０１３３】
図３８はヒンジ構造１３１１の本体取付封印部材用受け部１３１２と回動部１３１３を示す拡大斜視図であり、（ａ）は正面左上方視、（ｂ）は正面右上方視、（ｃ）は背面左上方視、（ｄ）は背面右上方視である。図３９はヒンジ構造１３１１の本体取付封印部材用受け部１３１２と回動部１３１３を示す拡大図であり、（ａ）は平面図、（ｂ）は正面図、（ｃ）は底面図、（ｄ）は左側面図、（ｅ）は右側面図、（ｆ）は背面図である。
ヒンジ構造１３１１は、本体取付封印部材１０９３と連結する本体取付封印部材用受け部１３１２、ヒンジ機能を奏する回動部１３１３と回動受け部１３１４とから成る。この回動部１３１３は遊技盤６１の背面側に取り付けられた回動受け部１３１４に回動自在に支持される部材である。
【０１３４】
本体取付封印部材用受け部１３１２は、その内側に本体取付封印部材１０９３との連結に必要な構造を具備し、その外側に遊技盤６１の背面側においてヒンジ機能を奏する構造が延設された部材である。本体取付封印部材用受け部１３１２の全体は本体取付封印部材１０９３の長手方向と略同じ長さを有し、文字通り本体取付封印部材１０９３に連結する部位になる。この本体取付封印部材用受け部１３１２は、本体取付封印部材１０９３の周囲を覆うように連結する枠部１３１５と、本体取付封印部材１０９３と連結する破断ねじ１０９５をねじ込むねじボス１３１６と、本体取付封印部材１０９３の爪１３１７に掛け止める抜け止め部材１３１８とから成る。
【０１３５】
このように本体取付封印部材用受け部１３１２は、破断ねじ１０９５と抜け止め部材１３１８の２か所ずつで本体取付封印部材１０９３と分離しないようになっている。２か所のねじボス１３１６は枠部１３１５から立ち上がるように連結壁１３１９でつなげられている。この連結壁１３１９は両ねじボス１３１６を補強する作用を有する。
【０１３６】
両ねじボス１３１６には本体取付封印部材１０９３に設けられたねじ挿通穴１３２０から破断ねじ１０９５が締結されている。この破断ねじ１０９５を用いた理由は、所定以上の締め付けトルクがかかるとねじ頭が破断し、緩めることができないようにして、本体取付封印部材１０９３を不正に取り外すことを抑止するためである。即ち、本体取付封印部材１０９３から基板ボックス１０８を不正に取り外せないようにするためである。
【０１３７】
また、ヒンジ構造１３１１は、本体取付封印部材用受け部１３１２の基板ボックス１０８が取り付けられる側と反対側の外周に、ヒンジ機能を奏する回動部１３１３を有する。この回動部１３１３は略円筒状の軸材からなり、その上部は本体取付封印部材用受け部１３１２に連結され、その下方に向けて略円筒状をなす部材からなる。ヒンジ構造１３１１は、基板ボックス１０８が遊技盤６１の背面に対して水平方向へ回動するように機能する。そこで、この回動部１３１３は、その軸材が遊技盤６１の背面において上下方向に配置されたものである。この回動部１３１３の軸材は遊技盤６１の背面側に設けられた回動受け部１３１４に挿着され回動自在に支持される。
【０１３８】
＜突起１３２１と抜け止め溝部１３２３との構成＞
回動部１３１３は図示例では空洞部１３２２を数か所設けた構造になる。これは部材の強度を落とすことなく軽量化すると共に、組み付けを容易にするためである。また、回動部１３１３の略中間位置に抜け止め用の突起１３２１が２か所設けられている。この突起１３２１は、回動受け部１３１４の内周に設けられた抜け止め溝部１３２３内の軸周囲方向の移動は可能にするが、回動受け部１３１４の軸方向への移動は制止して抜け止め機能を奏するようになる。この突起１３２１は図３９に示すように、回動部１３１３を回動受け部１３１４に組み付けしやすいように、挿入側（図示例では下側）は傾斜面を有している。突起１３２１の反挿入側（図示例では上側）は回動部１３１３周囲面に対して直角になり、抜けづらいようになっている。
【０１３９】
回動部１３１３における２か所の突起１３２１の配置は、図３９（ｂ）と（ｆ）に示すように、本体取付封印部材用受け部１３１２の本体側とその対極（約１８０度の角度）にある反対側にそれぞれ１か所ずつ設けた。これらの突起１３２１により、基板ボックス１０８を安定して支持することができる。
また、この２か所の突起１３２１の配置及びその周囲の空洞部１３２２は、軸材の突起１３２１のある側壁部分が軸材の中心側に撓んで、回動受け部１３１４の抜け止め溝部１３２３に入りやすくするためである。勿論この空洞部１３２２は軽量化にも寄与している。
【０１４０】
また、本体取付封印部材用受け部１３１２の本体側の突起１３２１の上方には、本体取付封印部材用受け部１３１２との連結部分があるため、細い針金状の部材などを差し込みにくく、軸材の回動受け部１３１４からの取り外しを困難なものとしている。
【０１４１】
なお、回動部１３１３に突起１３２１を２か所配置したのは、突起１３２１をこれ以上多く配置すると、回動部１３１３を回動受け部１３１４に組み付けることが困難になるおそれがあるからである。また、１か所のみであると抜け止め溝部１３２３から抜けやすくなるからである。
【０１４２】
本発明のヒンジ構造１３１１は、本体取付封印部材用受け部１３１２と回動部１３１３の何れも合成樹脂材で成形されているので、その接合箇所が密になり、ナイフ、ドライバーその他の鋭利な先端を有する工具等でこじ開けることを抑止できる。また、金属と合成樹脂といった接合部分を少なくして、素材の強度、剛性等の極端な相違による接触部分の破損、損傷等を回避することができる。
【０１４３】
図４０はヒンジ構造１３１１を締結した本体取付封印部材１０９３を基板ボックス１０８に取り付ける状態を示す斜視図である。図４１はヒンジ構造１３１１を締結した本体取付封印部材１０９３を基板ボックス１０８に取り付けた状態を示す斜視図である。図４２はヒンジ構造１３１１を締結した本体取付封印部材１０９３を基板ボックス１０８に取り付けた状態を示し、（ａ）は正面図、（ｂ）は左側面図、（ｃ）は平面図、（ｄ）は底面図である。
本体取付封印部材用受け部１３１２は、その周囲に、更に基板ボックス１０８（ボックスベース１０８１）の側面に、装着されたボックス封印部材１０８６に設けられたポケット１３２４に係合する係合部１３２５を具備している。
【０１４４】
一方、回動受け部１３１４には、その一側に遊技盤６１の背面側に取り付けられる板部材１３２６を具備し、その他側に回動部１３１３を軸支するポケット状の受け構造１３２７を備えている。なお、図示例では板部材１３２６の形状は単純な長方形状にしているが、これは一例であって、実際に遊技盤６１に取り付けられる形状に沿った形状になることは勿論である。
【０１４５】
＜ヒンジ構造１３１１の変形例１＞
図４３はヒンジ構造１３１１の変形例１を示し、（ａ）は組み付ける前の状態の正面図、（ｂ）は凹部１３２８部分の拡大正面図である。
本発明のヒンジ構造１３１１は回動部１３１３の軸材が回動受け部１３１４内においてその周囲回り方向において約１８０度の角度内で回動する。そこで、基板ボックス１０８がこのヒンジ構造１３１１の周囲を回動することにより、基板ボックス１０８の裏面側（ボックスカバー１０８２）を見ることができる。
【０１４６】
実際の作業に際して、回動部１３１３の軸材が回動受け部１３１４内において回動すると共に、抜け止めの構造を具備しているが、そのまま開いた状態、すなわち基板ボックス１０８の一端が遊技機１０から離れた状態を維持することができず、そのまま閉じてしまうことがある。この基板ボックス１０８が開いた状態を維持できないと点検作業を円滑に行うことができない場合がある。そこで、このヒンジ構造１３１１の変形例１では、回動部１３１３の軸材の突起１３２１が一時的に係合する、凹部１３２８を回動受け部１３１４の内周に設けられた溝部１３２３内に形成した。これにより基板ボックス１０８はヒンジ構造１３１１で開閉できると共に、所定の開角度で維持することができ、点検作業を容易に実施できる。なお、凹部１３２８は開角度を選択できるように複数個所設けることも可能である。
【０１４７】
＜ヒンジ構造１３１１の変形例２＞
または、ヒンジ構造１３１１の変形例２は、凹部１３２８に代えて、回動受け部１３１４の内周に設けられた溝部１３２３の下側、即ち回動部１３１３の軸材の突起１３２１が摺動する部分を細かい凹凸状、あるいは梨地状にして滑らないように構成することもできる（図示省略）。
【０１４８】
なお、上述した実施の形態の記載内容に限定されず、例えば次のように実施してもよい。
複数配列されたボックス封印部材の封印部と、複数配列された本体取付封印部材の別封印部とが組み込まないように配列することも可能である。遊技機の形態に応じて、個別的に組み込まない配列、又は組み込む配列にすることができる。
（１）上記実施の形態では、残存遊技球数が２９個となるように、上下通路ユニットにおいて切換片から払出装置の回転体までの通路長を設定したが、残存遊技球数は２９個に限定されることはなく、単位遊技球数のいずれの整数倍とも一致しない数であれば具体的な数は任意である。例えば、上記実施の形態における単位遊技球数の設定において、残存遊技球数を１７個、１９個、２３個等としてもよい。
【０１４９】
（２）入賞口に対する単位遊技球数の設定は、上記実施の形態のものに限定されることはなく、任意である。但し、単位遊技球数の設定を変更した場合には、それら単位遊技球数のいずれの整数倍とも一致しないように残存遊技球数を変更する必要がある。ちなみに、可変入賞装置に対する単位遊技球数を１５個に代えて、１４個としてもよい。当該構成であっても、残存遊技球数を２９個とすることで、上記実施の形態と同様の効果を得ることができる。
【０１５０】
（３）上記実施の形態では、単位遊技球数が異なる入賞口の種類を４種類としたが、これに限定されることはなく、１種類、２種類、３種類又は５種類以上であってもよい。この場合であっても、残存遊技球数を単位遊技球数のいずれの整数倍とも一致しないようにすることで、上記実施の形態と同様の効果を得ることができる。
【０１５１】
（４）上記実施の形態では、図柄表示装置を備えたパチンコ機１０に対して本発明を適用したが、それ以外のタイプのパチンコ機に適用してもよい。例えば、遊技球転動部や有利口などが設けられた入賞役物装置を備えたパチンコ機や、他の役物を備えたパチンコ機、アレンジボール機、雀球等の遊技機にも、本発明を適用できる。また、受け皿として上皿及び下皿が設けられているのではなく、単一の受け皿が設けられたパチンコ機にも、本発明を適用できる。
【０１５２】
＜上記実施の形態から抽出される発明群について＞
以下、上述した実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０１５３】
遊技機Ａ
本発明は、パチンコ、スロットマシンあるいはメダルの代わりにパチンコ球でスロットマシンの遊技をするパロット等の遊技機に係り、特に遊技機の基板を収容する基板ケース（基板ボックス）を破壊して開封したときにその痕跡を残し、その制御基板が不正操作されたことを推知させる構造を有する基板ボックスを用いた遊技機に関する。
【０１５４】
この遊技機には制御基板が備えられており、制御基板は基板ボックス内（基板収容ケース）に収容されている。例えば、特許文献２の特開２０１０−１８９の「遊技機」には、基板ボックスにおいて封止手段の存する箇所でのケースの境界面に、その境界面を囲う囲い壁を備えている構成が提案されている。この遊技機は、不正行為を低減できる基板ボックスを用いたものである。
【０１５５】
【特許文献２】特開２０１０−１８９
【０１５６】
しかし、遊技機には部品が収容されているが、その設置レイアウトが制限される場合があるという問題があった。
【０１５７】
本発明は、上述した問題点等を解決するために創案されたものである。すなわち、本発明の目的は、遊技機における設計レイアウトの自由度を向上させることができる遊技機を提供することにある。
【０１５８】
遊技機Ａ１は、遊技機についての所定の遊技に関する制御を司る制御基板を内部に収容する基板ボックスを備えた遊技機であって、
前記基板ボックスは、
第１ケース体と、前記第１ケース体と合わされる第２ケース体と、
前記第１ケース体に前記第２ケース体を合わせた状態で前記第１ケース体および前記第２ケース体を封止して該基板ボックスを開封不可とする封印部が複数配列されたボックス封印部材と、
前記基板ボックスを遊技機に取り付けるために、別封印部が複数配列された本体取付封印部材と、を備え、前記複数配列されたボックス封印部材の封印部と、複数配列された本体取付封印部材の別封印部とを組み込むように配列した、ことを特徴とする遊技機。
【０１５９】
遊技機Ａ１では、基板ボックスにおいて、ボックス封印部材の封印部と本体取付封印部材の別封印部とが組み込むように配列されているので、遊技機における基板ボックス、収容ケースの設計レイアウトの自由度を向上させることができる。
【０１６０】
遊技機Ａ２は、前記ボックス封印部材と前記本体取付封印部材は、前記基板ボックスの側面と平行になるように直線状に配列した、ことを特徴とする遊技機Ａ１の遊技機。
遊技機Ａ３は、前記ボックス封印部材と前記本体取付封印部材は、前記基板ボックスの短手方向の側面に配列した、ことを特徴とする遊技機Ａ１の遊技機。
なお、前記ボックス封印部材と前記本体取付封印部材は、前記基板ボックスの側面と平行になるように正確に直線状に配列する必要はなく、基板ボックスのコンパクト化に寄与できる程度に組み込むように配列したものでもよい。
【０１６１】
遊技機Ａ２、Ａ３では、ボックス封印部材と本体取付封印部材を、基板ボックスの短手方向の側面と平行になるように直線状に配列したので、遊技機において基板ボックスの封止機構を視認しやすくなり、不正行為の確認作業が容易になる。そこで、不正行為の確認作業性の向上を図ることができる。
【０１６２】
遊技機Ｂ
本発明は、パチンコ、スロットマシンあるいはメダルの代わりにパチンコ球でスロットマシンの遊技をするパロット等の遊技機に係り、特に遊技機の基板を収容する基板ケースを破壊して開封したときにその痕跡を残し、その制御基板が不正操作されたことを推知させる構造を有する基板ボックスを用いた遊技機に関する。
【０１６３】
この遊技機には制御基板が備えられており、その制御基板によって電子的に遊技内容の制御が行われている。制御基板は、ＣＰＵ（Ｃｅｎｔｒａｌ Ｐｒｏｃｅｓｓｉｎｇ Ｕｎｉｔ）、ＲＡＭ（Ｒａｎｄｏｍ Ａｃｃｅｓｓ Ｍｅｍｏｒｙ）、ＲＯＭ（Ｒｅａｄ Ｏｎｌｙ Ｍｅｍｏｒｙ）、その他必要とされる集積回路やインターフェース回路を備えている。制御基板のＲＯＭには、遊技の制御内容を決めるデータが記憶されている。このＲＯＭを交換することにより、遊技の制御内容を変更する。また、制御基板自体を交換し、あるいは制御基板に別個のＲＯＭを外付けすることで制御内容を変更する。
【０１６４】
この制御基板は基板ボックス内（基板収容ケース）に収容されている。この基板ボックスは、その内部に制御基板を被包して収容するためのケース下（ベース部）とケース上（カバー部）とを備えている。また、この基板ボックスは、このケース下とケース上とを封止するための封止機構を備えている。この封止機構は所定箇所を破壊しない限り開封できない構造となっており、その封止機構を破壊してケースを開封した場合には、封止機構の破壊に基づいて開封の有無が確認できる。なお、この封止機構の開封はホールの技術者が行う正規開封と、不正操作する人が行う不正開封の何れの時にも、その開封の有無が確認できる。
【０１６５】
例えば、特許文献３の特開２０１０−１８９の「遊技機」には、基板ボックスにおいて封止手段の存する箇所でのケースの境界面に、その境界面を囲う囲い壁を備えている構成が提案されている。この遊技機は、不正行為を低減できる基板ボックスを用いたものである。
【０１６６】
【特許文献３】特開２０１０−１８９
【０１６７】
しかし、例えば遊技機、即ち遊技盤の裏面や機構板等には、上記した制御基板を収容する基板ボックス以外にも遊技機に設置されたランプを制御するためのランプ制御基板、スピーカの出力を制御するための音声制御基板、及び電源基板を収容した電源基板用ケース等が配設されており、これらの基板は、それぞれ別個の収容ケース（収容ボックス）に収容されている。更に、遊技盤には、合成樹脂等で形成された機構板が取り付けられ、機構板に景品球を貯留するための球タンク等やその景品球が通過するための導出樋等が形成されている。
【０１６８】
これらの基板ボックス、各収容ケースは、例えば第１ケース体と第２ケース体とを合わせて収納空間を形成する。この合わせた際に種々の部品、部材を用いて封印する構造になる。この封印する構造が複雑すぎると、その装着に手間取り、また金属の加工の際に多くの金型を必要とすると製造コストが高くなりやすいという問題があった。
【０１６９】
本発明は、上述した問題点等を解決するために創案されたものである。すなわち、本発明の目的は、第１ケース体と第２ケース体との封印をする部品を簡略化することで、ボックス封印部材の装着を確実かつ容易に行い、更にその部品の製造コストを低減させることができる遊技機を提供することにある。
【０１７０】
遊技機Ｂ１は、遊技機についての所定の遊技に関する制御を司る制御基板を内部に収容する基板ボックスを備えた遊技機であって、
前記基板ボックスは、
第１ケース体と、前記第１ケース体と合わされる第２ケース体と、
前記第１ケース体に前記第２ケース体を合わせた状態で前記第１ケース体および前記第２ケース体を封止して該基板ボックスを開封不可とする封印部が複数配列されたボックス封印部材と、
前記基板ボックスを遊技機に取り付けるために、別封印部が複数配列された本体取付封印部材と、を備え、
前記第１ケース体に前記ボックス封印部材を係止用部材を介して連結した、ことを特徴とする遊技機。
遊技機Ｂ２は、前記第１ケース体に形成した凹部に前記係止用部材を嵌脱自在に装着し、該係止用部材に形成した凹部に、前記ボックス封印部材の凸部を嵌脱自在に装着した、ことを特徴とする遊技機Ｂ１の遊技機。
【０１７１】
遊技機Ｂ１、Ｂ２では、基板ボックスにおいて、第１ケース体と第２ケース体との封印をするボックス封印部材の装着を確実かつ容易に行うことができる。そこで、遊技機における基板ボックスの組み立てを迅速に行うことができる。
【０１７２】
遊技機Ｂ３は、前記係止用部材の開口に、前記ボックス封印部材の凸部を容易に装着できるような受け口を形成した、ことを特徴とする遊技機Ｂ２の遊技機。
遊技機Ｂ３では、この受け口によりボックス封印部材の凸条の端縁が引っ掛からず、凸条を係止用部材の開口に円滑に差し込むことができる。
【０１７３】
遊技機Ｂ４は、前記係止用部材の受け口に、前記第１ケース体に形成した凹部の周縁に引っ掛かる曲折部を形成した、ことを特徴とする遊技機Ｂ２の遊技機。
遊技機Ｂ４では、受け口の折り返し部が、ボックスカバーの壁面の端縁に嵌合して係止用部材の開口を固定し、閉じないようにする。この凸条の係止用部材への差し込みを容易にすることができる。
【０１７４】
遊技機Ｂ５は、前記係止用部材は、せん断加工と切欠き加工により略長方形状の部品全体の輪郭が形成され、曲げ加工により断面形状がコ字形状の凹部が曲折形成されるように、２種類の金型加工により成形したものである、ことを特徴とする遊技機Ｂ１、Ｂ２、Ｂ３又はＢ４の遊技機。
遊技機Ｂ５では、係止用部材を製造する際に、従来では３種類の金型を必要としたが、せん断加工と切欠き加工を同時に行い、１回の曲げ加工で断面形状がコ字形状になる部品を製造でき、金型を２種類使用するだけでよいので製造コストの低減を図ることができる。
【０１７５】
遊技機Ｃ
本発明は、パチンコ、スロットマシンあるいはメダルの代わりにパチンコ玉でスロットマシンの遊技をするパロット等の遊技機に係り、特に遊技機の基板を収容する基板ケースを破壊して開封したときにその痕跡を残し、その制御基板が不正操作されたことを推知させる構造を有する基板ボックスを用いた遊技機に関する。
【０１７６】
この遊技機には制御基板が備えられており、その制御基板によって電子的に遊技内容の制御が行われている。制御基板は、ＣＰＵ（Ｃｅｎｔｒａｌ Ｐｒｏｃｅｓｓｉｎｇ Ｕｎｉｔ）、ＲＡＭ（Ｒａｎｄｏｍ Ａｃｃｅｓｓ Ｍｅｍｏｒｙ）、ＲＯＭ（Ｒｅａｄ Ｏｎｌｙ Ｍｅｍｏｒｙ）、その他必要とされる集積回路やインターフェース回路を備えている。制御基板のＲＯＭには、遊技の制御内容を決めるデータが記憶されている。このＲＯＭを交換することにより、遊技の制御内容を変更する。また、制御基板自体を交換し、あるいは制御基板に別のＲＯＭを外付けすることで制御内容を変更する。
【０１７７】
この制御基板は基板ボックス内に収容されている。この基板ボックスは、その内部に制御基板を被包して収容するためのボックスベースとボックスカバーとを備えている。この基板ボックスには、このボックスベースとボックスカバーとを封止するための封止機構を備えている。この封止機構としてはボックスベースとボックスカバーを封印固定するかしめピンがある。
【０１７８】
このかしめピンを備えた基板ボックスの不正対策に関する技術について、例えば特許文献４の特開２００７−３０１１２６の「遊技機」が提案されている。
【０１７９】
【特許文献４】特開２００７−３０１１２６
【０１８０】
しかし、かしめピンによる封止機構を備えた基板ボックスについて、その開封の痕跡が残らないように巧妙な不正が行われるおそれがある。また、基板ボックスのコンパクト化に伴い、かしめピンも小型化して強度が低下し、ニッパ、ペンチによる切断が容易になり、制御基板に不正を施した後、かしめピンを再利用して再び基板ボックスに差し込んで元の状態に戻すというおそれがあった。
【０１８１】
本発明は、上述した問題点等を解決するために創案されたものである。すなわち、本発明の目的は、小型化したかしめ部材であっても所定の強度を有し、基板ボックスからの取り外しが困難であり、また中古機の基板ボックスからかしめ部材等を取り出し、それらを組み合わせて再利用する不正を防止できる遊技機を提供することにある。
【０１８２】
遊技機Ｃ１は、遊技機についての所定の遊技に関する制御を司る制御基板を内部に収容する基板ボックスを備えた遊技機であって、
前記基板ボックスは、
第１ケース体と、前記第１ケース体と合わされる第２ケース体と、
前記第１ケース体に前記第２ケース体を合わせた状態で前記第１ケース体および前記第２ケース体を封止して該基板ボックスを開封不可とする封印部が形成されたボックス封印部材と、を備え、
前記ボックス封印部材の封印部に挿入するかしめ部材は、細長い板材を曲折した２か所の挿入先端を具備し、両挿入先端側に形成された掛止め用の各切欠きの向きがそれぞれ逆向きに成る、ことを特徴とする遊技機。
遊技機Ｃ１では、かしめ部材の掛止め用の各切欠きの向きがそれぞれ逆向きに形成されているので、貫通穴方式のものと比較して、挿入方向の幅方向が広くならないので、部材全体を小型化することができ、基板ボックス全体の小型化に寄与する。
【０１８３】
遊技機Ｃ２は、前記かしめ部材は断面形状で略コ字状に成る、ことを特徴とする遊技機Ｃ１の遊技機。
遊技機Ｃ３は、前記かしめ部材は断面形状で略Ｕ字状に成る、ことを特徴とする遊技機Ｃ１の遊技機。
遊技機Ｃ２、Ｃ３では、各切欠きの向きがそれぞれ逆向きに形成されているので、かしめ部材を何れの向きに差し込んでも基板ボックス側に掛止めすることができる。
【０１８４】
遊技機Ｃ４は、前記切欠きは、その奥行きが前記かしめ部材を構成する金属板材の板幅の半分で形成された、ことを特徴とする遊技機Ｃ１、Ｃ２又はＣ３の遊技機。
遊技機Ｃ４では、掛止める部分の機能を損なうことなく、強度を維持しつつ、かしめ部材全体の小型化を図ることができる。
【０１８５】
遊技機Ｃ５は、遊技機についての所定の遊技に関する制御を司る制御基板を内部に収容する基板ボックスを備えた遊技機であって、
前記基板ボックスは、
第１ケース体と、前記第１ケース体と合わされる第２ケース体と、
前記第１ケース体に前記第２ケース体を合わせた状態で前記第１ケース体および前記第２ケース体を封止して該基板ボックスを開封不可とする封印部が形成されたボックス封印部材と、を備え、
前記ボックス封印部材の封印部に挿入するかしめ部材は、細長い板材を断面形状で略Ｌ字形状に曲折した形状になり、その挿入先端側に掛止め部が形成されている、ことを特徴とする遊技機。
遊技機Ｃ６は、前記かしめ部材の掛止め部は貫通穴である、ことを特徴とする遊技機Ｃ５の遊技機。
遊技機Ｃ７は、前記かしめ部材の掛止め部は切欠きである、ことを特徴とする遊技機Ｃ５の遊技機。
【０１８６】
遊技機Ｃ５、Ｃ６、Ｃ７では、小型化にしたので相対的に板厚にして更に強度を高めている。また、部材の板厚を厚くすることで、ドライバーや鋭利な先端を有する工具で不正にこじ開けることを防止することができる。更に、２個の部品を寄せ集めて１個の部品とするいわゆる２個１の防止にもなる。
【０１８７】
遊技機Ｄ
本発明は、パチンコ、スロットマシンあるいはメダルの代わりにパチンコ玉でスロットマシンの遊技をするパロット等の遊技機に係り、特に遊技機の基板を収容する基板ケースを破壊して開封したときにその痕跡を残し、その制御基板が不正操作されたことを推知させる構造を有する基板ボックスを用いた遊技機に関する。
【０１８８】
この遊技機には制御基板が備えられており、その制御基板によって電子的に遊技内容の制御が行われている。制御基板は、ＣＰＵ（Ｃｅｎｔｒａｌ Ｐｒｏｃｅｓｓｉｎｇ Ｕｎｉｔ）、ＲＡＭ（Ｒａｎｄｏｍ Ａｃｃｅｓｓ Ｍｅｍｏｒｙ）、ＲＯＭ（Ｒｅａｄ Ｏｎｌｙ Ｍｅｍｏｒｙ）、その他必要とされる集積回路やインターフェース回路を備えている。制御基板のＲＯＭには、遊技の制御内容を決めるデータが記憶されている。このＲＯＭを交換することにより、遊技の制御内容を変更する。また、制御基板自体を交換し、あるいは制御基板に別なＲＯＭを外付けすることで制御内容を変更する。
【０１８９】
この制御基板は基板ボックス内に収容されている。この基板ボックスは、その内部に制御基板を被包して収容するためのボックスベースとボックスカバーとを備えている。また、この基板ボックスには、このボックスベースとボックスカバーとを封止するための封止機構を備えている。この封止機構は所定箇所を破壊しない限り開封できない構造となっており、その封止機構を破壊してケースを開封した場合には、封止機構の破壊に基づいて開封の有無が確認できる。
【０１９０】
更に、基板ボックスを構成する上下一対のケース体の接合部に再貼付不可能であり、剥がすと痕跡が残る封印シールを貼付している。基板ボックスには、このような不正開封防止が図られている。
【０１９１】
この封印シールを用いた不正対策に関する技術について、例えば特許文献５の特開２０１１−１５６４３３の「遊技機」には、基板ボックスにおいて封止手段の存する箇所でのケースの境界面に、封印シールを貼付する構成が提案されている。
【０１９２】
【特許文献５】特開２０１１−１５６４３３
【０１９３】
しかし、このような不正対策が施されていても、未だに不正行為が行われる可能性がある。この封印シールを構成した制御基板装置であっても、開封の痕跡が残らないようにして巧妙に不正が行われる可能性がある。例えば封印シールについては、一旦剥がし、その後再び基板ボックスに貼り直して元の状態に戻す不正行為は発見しづらいという問題を有していた。
【０１９４】
本発明は、上述した問題点等を解決するために創案されたものである。すなわち、本発明の目的は、基板ボックスを構成する上下一対のケース体の接合部に再貼付不可能な封印シールを貼付し、この封印シールを切断しないと基板ボックスを開閉できない構成にし、更にこの封印シールを切断するカッターも容易には操作できないようにすることで、制御基板に対する不正を防止すると共に、その不正の痕跡も容易に発見することができる遊技機を提供することにある。
【０１９５】
遊技機Ｄ１は、遊技機についての所定の遊技に関する制御を司る制御基板を内部に収容する基板ボックスを備えた遊技機であって、
前記基板ボックスは、
第１ケース体と、前記第１ケース体と合わされる第２ケース体と、
前記第１ケース体と第２ケース体との両開口の外周部に設けられ、相互に対向する板面を有する貼付板部と、から成り、
前記両貼付板部の境界を跨ぐようにして、それら貼付板部に貼り付けられる封印シールと、
前記各貼付板部の境界に出没するように取り付けたカッターと、を備え、
前記カッターの動作を規制するカッターカバーを前記基板ボックスに着脱自在にかぶせ、該カッターカバーを外し、該カッターで前記封印シールを切断したときに、前記第１ケース体と第２ケース体とを分離することができるように構成した、ことを特徴とする遊技機。
遊技機Ｄ２は、前記カッターは、一端を前記第１ケース体又は第２ケース体の外周部に回動自在に取り付け、他端につまみ部と仮止めするストッパ部を形成した、ことを特徴とする遊技機Ｄ１の遊技機。
【０１９６】
遊技機Ｄ１、Ｄ２では、第１ケース体と第２ケース体の境界に封印シールを貼付しているので、開封をするときに、この封印シールをカッターで切断することで、この封印シールを再度貼付できないようにして不正開封を防止することができる。更に、このカッターは、基板ボックスからカッターカバーを外さないと封印シールを切断できないので、２段階で不正開封の防止を図っている。
【０１９７】
遊技機Ｄ３は、前記カッターは、前記封印シールを切断線が粗くなるような鈍い刃部を有する、ことを特徴とする遊技機Ｄ１又はＤ２の遊技機。
遊技機Ｄ４は、前記カッターカバーに前記遊技機側に着脱自在に固定する係止部材を設けた、ことを特徴とする遊技機Ｄ１、Ｄ２又はＤ３の遊技機。
遊技機Ｄ３、Ｄ４では、鈍い刃部を有するカッターでは、切断した封印シールの切断線が粗くなるので、この切断部分を精緻に接続することができず、再度貼付することを防止することができる。
【０１９８】
遊技機Ｅ
本発明は、パチンコ、スロットマシンあるいはメダルの代わりにパチンコ玉でスロットマシンの遊技をするパロット等の遊技機に係り、特に遊技機の基板を収容する基板ボックスを用いた遊技機に関する。
【０１９９】
この遊技機には制御基板が備えられており、その制御基板によって電子的に遊技内容の制御が行われている。制御基板は、ＣＰＵ（Ｃｅｎｔｒａｌ Ｐｒｏｃｅｓｓｉｎｇ Ｕｎｉｔ）、ＲＡＭ（Ｒａｎｄｏｍ Ａｃｃｅｓｓ Ｍｅｍｏｒｙ）、ＲＯＭ（Ｒｅａｄ Ｏｎｌｙ Ｍｅｍｏｒｙ）、その他必要とされる集積回路やインターフェース回路を備えている。制御基板のＲＯＭには、遊技の制御内容を決めるデータが記憶されている。このＲＯＭを交換することにより、遊技の制御内容を変更する。また、制御基板自体を交換し、あるいは制御基板に別のＲＯＭを外付けすることで制御内容を変更する。
【０２００】
この制御基板は基板ボックス内に収容されている。この基板ボックスは、その内部に制御基板を被包して収容するためのボックスベースとボックスカバーとを備えている。この基板ボックスには、基板ボックスの裏面を容易に視認できるようにヒンジ部材（ヒンジ構造）を備えている。
【０２０１】
このヒンジ部材（ヒンジ構造）を備えた基板ボックスに関する技術について、例えば特許文献６の特開２０１０−１４８８０７の「遊技機」に合成樹脂製の基板ボックスの被連結部の挿入口に金属製のヒンジ部材を構成する挿入片を差し込む構成が提案されている。
【０２０２】
【特許文献６】特開２０１０−１４８８０７
【０２０３】
しかし、ヒンジ部材（ヒンジ構造）を備えた基板ボックスについて、従来の合成樹脂製の被連結部の挿入口に金属製の挿入片を差し込む構成では、基板ボックスの被連結部の挿入口の隙間からナイフ、細い針金状の部材を差し込んで不正に開封されるおそれがある。
【０２０４】
本発明は、上述した問題点等を解決するために創案されたものである。すなわち、本発明の目的は、ヒンジ部材（ヒンジ構造）と基板ボックスとの連結を強化し、基板ボックスの取り外しを困難にして不正しにくい遊技機を提供することにある。
【０２０５】
遊技機Ｅ１は、遊技機についての所定の遊技に関する制御を司る制御基板を内部に収容する基板ボックスを備えた遊技機であって、
前記基板ボックスは、
第１ケース体と、該第１ケース体と合わされる第２ケース体と、
前記基板ボックスを遊技機に取り付けるために、別封印部が複数配列された本体取付封印部材とは別部品として形成され、本体取付部品と一体化される本体取付封印部材用受け部と、を備え、
前記本体取付封印部材を、前記本体取付封印部材用受け部と回動部とを有するヒンジ構造により、遊技機の一部に連結するように構成した、ことを特徴とする遊技機。
遊技機Ｅ１では、ヒンジ構造が基板ボックスの被連結部の挿入口に金属製の挿入片を差し込む構成ではないので、従来のように被連結部の挿入口の隙間からナイフ、細い針金状の部材を差し込んだ不正を防止しやすくなる。
【０２０６】
遊技機Ｅ２は、前記ヒンジ構造を構成する前記本体取付封印部材用受け部と回動部とが合成樹脂材で成形されている、ことを特徴とする遊技機Ｅ１の遊技機。
遊技機Ｅ２では、合成樹脂材で成形されているので、その接合箇所が密になり、ナイフ、ドライバーその他の鋭利な先端を有する工具等でこじ開けることを抑止できる。また、金属と合成樹脂といった接合部分を少なくして、素材の強度、剛性等の極端な相違による接触部分の破損、損傷等を回避することができる。
【０２０７】
遊技機Ｅ３は、前記ヒンジ構造の本体取付封印部材用受け部に、前記本体取付封印部材を破断ねじで連結固定するように構成した、ことを特徴とする遊技機Ｅ１の遊技機。
遊技機Ｅ３では、破断ねじで連結固定したので、本体取付封印部材１０９３から基板ボックス１０８を不正に取り外せないようにすることができる。
【０２０８】
因みに、特徴Ａ１乃至特徴Ａ３、特徴Ｂ１乃至特徴Ｂ５、特徴Ｃ１乃至特徴Ｃ７、特徴Ｄ１乃至特徴Ｄ４、特徴Ｅ１乃至特徴Ｅ３のいずれか１つ又はそれらの組み合わせを上記特徴Ａ１乃至Ａ３、特徴Ｂ１乃至特徴Ｂ５、特徴Ｃ１乃至特徴Ｃ７、特徴Ｄ１乃至特徴Ｄ４、特徴Ｅ１乃至特徴Ｅ３に適用してもよい。
【０２０９】
以下に、以上の各特徴を適用し得る遊技機の基本構成を示す。
【０２１０】
パチンコ遊技機：遊技者が操作する操作手段（遊技球発射ハンドル）と、その操作手段の操作に基づいて遊技球を発射する遊技球発射手段（遊技球発射機構のソレノイド）と、その発射された遊技球を所定の遊技領域に導く球通路と、遊技領域内に配置された各遊技部品（釘等）とを備え、それら各遊技部品のうち所定の通過部（作動口等）を遊技球が通過した場合に遊技者に特典を付与する遊技機。
【０２１１】
遊技機１０、Ａ１〜Ａ３、Ｂ１〜Ｂ５、Ｃ１〜Ｃ７、Ｄ１〜Ｄ４、Ｅ１〜Ｅ３のいずれかにおいて、前記遊技機はパチンコ遊技機であることを特徴とする遊技機である。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードヘ書き込まれるデータ等も含む）が付与されるものが挙げられる。
【０２１２】
遊技機１０、Ａ１〜Ａ、Ｂ１〜Ｂ５、Ｃ１〜Ｃ７、Ｄ１〜Ｄ４、Ｅ１〜Ｅ３のいずれかにおいて、前記遊技機はスロットマシンであることを特徴とする遊技機である。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０２１３】
遊技機１０、Ａ１〜Ａ３、Ｂ１〜Ｂ５、Ｃ１〜Ｃ７、Ｄ１〜Ｄ４、Ｅ１〜Ｅ３のいずれかにおいて、前記遊技機はパチンコ遊技機とスロットマシンとを融合させたものであることを特徴とする遊技機である。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手投（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【産業上の利用可能性】
【０２１４】
本発明の遊技機は、主にパチンコ機の遊技機に利用することができるが、遊技機の基板を収容する基板ケース（基板ボックス）を有する構成の遊技機であれば、パチンコ機以外の様々な遊技機に利用することができる。
【符号の説明】
【０２１５】
１０  遊技機としてのパチンコ機
１０８  基板ボックス
１０８１  ボックスベース
１０８２  ボックスカバー
１０８６  ボックス封印部材
１０８７  有底収納部
１０８８  係止用部材
１０９０  封止部
１０９１  かしめ部材
１０９２  予備かしめ部材
１０９３  本体取付封印部材
１０９４  別封止部
１０９５  破断ねじ
１０９７  固定解除用被破壊部
１１００  係止部
１１０１  係止部
１１０４  受け口
１２０１  封印シール
１２０２  貼付板部
１２０３  貼付板部
１２０５  カッター
１２０６  刃本体
１２１２  封印シールケース
１２１７  カッターカバー
１３１１  ヒンジ構造
１３１２  本体取付封印部材用受け部
１３１３  回動部
１３１４  回動受け部
１３２１  突起
【図１】
0005979410.tif 000002
【図２】
0005979410.tif 000003
【図３】
0005979410.tif 000004
【図４】
0005979410.tif 000005
【図５】
0005979410.tif 000006
【図６】
0005979410.tif 000007
【図７】
0005979410.tif 000008
【図８】
0005979410.tif 000009
【図９】
0005979410.tif 000010
【図１０】
0005979410.tif 000011
【図１１】
0005979410.tif 000012
【図１２】
0005979410.tif 000013
【図１３】
0005979410.tif 000014
【図１４】
0005979410.tif 000015
【図１５】
0005979410.tif 000016
【図１６】
0005979410.tif 000017
【図１７】
0005979410.tif 000018
【図１８】
0005979410.tif 000019
【図１９】
0005979410.tif 000020
【図２０】
0005979410.tif 000021
【図２１】
0005979410.tif 000022
【図２２】
0005979410.tif 000023
【図２３】
0005979410.tif 000024
【図２４】
0005979410.tif 000025
【図２５】
0005979410.tif 000026
【図２６】
0005979410.tif 000027
【図２７】
0005979410.tif 000028
【図２８】
0005979410.tif 000029
【図２９】
0005979410.tif 000030
【図３０】
0005979410.tif 000031
【図３１】
0005979410.tif 000032
【図３２】
0005979410.tif 000033
【図３３】
0005979410.tif 000034
【図３４】
0005979410.tif 000035
【図３５】
0005979410.tif 000036
【図３６】
0005979410.tif 000037
【図３７】
0005979410.tif 000038
【図３８】
0005979410.tif 000039
【図３９】
0005979410.tif 000040
【図４０】
0005979410.tif 000041
【図４１】
0005979410.tif 000042
【図４２】
0005979410.tif 000043
【図４３】
0005979410.tif 000044